(57)【特許請求の範囲】
【請求項１】
本体と開閉自在の扉は互に接する同一の開口部に共通のロック部材を有し、前記本体又は前記扉もしくはその両方に具設した錠前係止部材を有する複数の錠前装着部に、閂とダミー錠とを共に収納した状態の錠前を装着でき、かつ施錠状態である前記閂を突出させた状態の前記錠前又は前記ダミー錠を起立させた状態の前記錠前を、前記錠前係止部材を取り外して開設したスペースを応用して前記錠前装着部に着脱できる錠前であって、当該錠前は、いずれか一方の前記錠前が施錠状態で解錠操作が不能の場合、他方の前記錠前が具備する施解錠の操作部を操作して応動させた前記閂で前記ロック部材を解錠状態又は施錠状態に制御する手段と、いずれか一方の前記錠前が解錠状態で施錠操作が不能の場合、前記錠前が具備する前記ダミー錠を起立させて前記ロック部材を強制錠止する手段かつ他方の前記錠前が具備する前記閂で前記ロック部材を施錠状態又は解錠状態に制御する手段と、で前記同一の開口部を開閉させる手段を備えることを特徴とする錠前。
【請求項２】
前記錠前は、前記錠前装着部に回転させて装着できる錠前であって、当該錠前に具備する施解錠の操作部がある主面を前記操作部ない他面に向けた隠蔽した状態で前記錠前装着部に装着して、前記錠前が具備する施解錠の前記操作部の操作を阻止する手段を備えたことを特徴とする請求項１に記載の錠前。
【請求項３】
請求項１または２に記載の錠前を着脱自在に装着させる錠前係止部材と留め具とを有し、本体と開閉自在の扉が解錠状態で開口した場合に前記留め具を解除して、前記錠前係止部材と錠前とを着脱できる錠前装着部であって、当該錠前装着部に前記錠前の前記主面又は前記他面に向けて装着させる手段と、前記錠前係止部材を取り外して錠前の着脱スペースを開設し、施錠状態である閂を突出させた状態の前記錠前又は施錠状態であるダミー錠を起立させた状態の前記錠前を、開設した前記スペースに移動させて着脱させる手段と、を兼ね備えたことを特徴とする錠前装着部。
【請求項４】
形状の縮小等分化した錠前を、一つの前記錠前装着部に複数装着できる錠前装着部であって、形状の縮小等分化した前記錠前を、一つの前記錠前装着部に重装しかつ各前記錠前の施解錠の操作を同時使用する手段と、前記錠前を重装した錠前収納ケースを着脱できる手段と、を兼ね備えたことを特徴とする請求項３に記載の錠前装着部。
【請求項５】
請求項１または２に記載の錠前が具備するダミー錠と同じ作用効果有し、かつ前記錠前から独立させた単体の形状を有して成るダミー閂の作用を具備する部材を、着脱できる錠前装着部であって、前記ダミー閂の作用を有する部材を当該錠前装着部に装着させ、共通のロック部材を強制錠止する手段を備えたことを特徴とする請求項４に記載の錠前装着部。
【請求項６】
請求項１または２に記載の錠前を具設し、かつ保護部材と閂部材とを一連に組み合わされた閂機構から成る錠前機構であって、当該錠前機構に具設された閂片を具備する閂を、本体と開閉自在の扉が具備する内壁に対比させ、前記閂の仕様の変更をして、前記閂片と前記内壁が互いに対示又は対向或いは係合して動止させる施錠手段と、前記錠前機構に具設された閂作用部材と錠前が具備する閂との間に前記保護部材を介在させ、前記錠前が具備する前記閂に対する外部から直接受ける破壊力を軽減又は回避又は遮断させる手段と、を兼備したことを特徴とする錠前機構。
【請求項７】
錠前装着部に装着した請求項１または２に記載の錠前を保護する保護部材であって、錠前機構に具設された閂作用部材と前記錠前が具備する閂との間に前記保護部材を介在させて、前記錠前が具備する前記閂を覆う又は遮蔽する手段を備えたことを特徴とする保護部材。
【請求項８】
閂作用を有し、錠前が具備する閂による施解錠の操作に応動する保護部材であって、一つの錠前装着部に形状の縮小等分化した錠前を重装させ、各前記錠前の施錠の操作で前記閂それぞれが同時に前記保護部材を係止させて共通のロック部材を施錠状態に制御し、かつ各前記錠前の解錠の操作で前記閂それぞれが同時に解錠した場合にのみ、各前記閂により係止していた前記保護部材が稼動状態と成り前記ロック部材を解錠状態にする手段を備えたことを特徴とする請求項７に記載の保護部材。
【請求項９】
形状の縮小等分化した請求項１または２に記載の錠前を重層して、各前記錠前による施解錠の操作かつ同時使用の手段を具備する錠前収納ケースであって、当該錠前収納ケースが具備する錠前係合部と互換性のある前記錠前の具備する前記錠前係合部とを係合させて、錠前の外形の形状又は外形の容積を変更せずに前記錠前を装着した前記錠前収納ケースを錠前装着部に装着できる手段と、前記錠前収納ケースに装着した前記錠前の施解錠の操作部を隠蔽する手段と、を備えたことを特徴とする錠前収納ケース。
【請求項１０】
具備する錠前装着部に、請求項１または２に記載の錠前を備えた本体と開閉自在の扉であって、建造物、収納部材、収納部を具備する輸送物体及び錠前作用を具備した装置又は部材のいずれかの形状を備えたことを特徴とする本体と開閉自在の扉。
【請求項１１】
部材の構造を小型軽量化にできる軽量強化部材から成る請求項１または２に記載の錠前と錠前機構と錠前装着部材とを、本体と開閉自在の扉の内部に着脱できるセキュリティボックスであって、当該セキュリティボックスは、透明または半透明な合成樹脂又は複合素材の繊維強化プラスチックから成る可視化作用とデザイン加工を施した形状を兼備し、前記錠前装着部が具備する留め具を解除して錠前係止部材を着脱し、閂とダミー錠とを収納した解錠状態の前記錠前かつ施錠状態で前記閂を突出させた状態又は前記ダミー錠を起立させた状態の前記錠前を、前記本体と前記扉の内部に具設した前記錠前装着部に装着する手段と、前記錠前を装着した錠前収納ケースかつ錠前着脱係合部材に装着して、前記本体と前記扉の内部に装着する手段と、前記セキュリティボックスに具備する隠蔽部材又は光学液晶及び電性液晶の作用効果で、前記錠前に具備する施解錠の操作部かつ前記セキュリティボックスの内部を隠蔽する手段と、を備えたことを特徴とするセキュリティボックス。
【請求項１２】
前記セキュリティボックスは、施錠状態又は解錠状態いずれの場合でも、複数いずれかの錠前で、同一の開口部を開閉して継続使用ができるセキュリティボックスであって、一方の前記錠前が施錠状態で解錠操作が不能の場合、他方の前記錠前による施解錠の操作する手段と、一方の前記錠前が解錠状態で施錠操作が不能の場合、解錠状態の前記錠前に具備するダミー錠を起立させた状態にして前記錠前装着部に装着させ、共通のロック部材を強制錠止させる手段かつ他方の錠前による施解錠の操作手段と、前記錠前装着部に装着した複数いずれかの錠前による施解錠の操作が不能の場合、前記錠前が具備する前記主面を前記他面に向けて前記錠前装着部に装着させる又は前記錠前が具備する隠蔽部材で前記錠前の施解錠の操作部を遮蔽して前記錠前の施解錠の前記操作部の操作を阻止する手段と、で前記同一の開口部を複数いずれかの錠前で開閉させる継続使用の手段を具備した請求項１１に記載のセキュリティボックス。
【発明の詳細な説明】
【技術分野】
【０００１】
本発明は、着脱可能な複数の錠前で、共通の閂の施錠操作と解錠操作の手段を持つ錠前と透明又は半透明な合成樹脂から成るセキュリティボックスに関するものである。
【背景技術】
【０００２】
従来のセキュリティボックスは、簡単には錠前の交換ができなく、防犯上内部の見えない強固で重い、持ち手の付いた四角形で無駄のない事務用品的なデザインであった。
【０００３】
機能としては、収納スペースを取り外しできる物や、錠前の解錠操作を一時的に使用不能にできる機能や、一つの錠前を二通りの方法で解錠する機能があった。
【０００４】
（なお、背景技術を踏まえ、本発明の言葉の定義を、下記に注釈として記載する。）
１：「ダミー錠」とは、施錠手段を具備したダミー（偽）の閂及びダミー閂の作用を具備する部材を含む、概念の総称であり本発明では、「ダミー錠」で統一表記する。   
1：「錠前機構」とは、保護部材と閂又は閂作用を具備した部材又はシリンダー作用を具備した部材を配設した、一連に組み合わされた閂機構のことである。
１：「保護部材」とは、閂ホルダー及び遮蔽部材から成り、錠前が具備する閂を  外力による破壊から遮蔽して守る、閂作用を具備する部材のことである。
１：「閂ホルダー」とは、錠前が具備する閂を覆う又は遮蔽する状態で保護する部材のことである。
１：「施錠操作及び解錠操作を阻止する手段又は施解錠の操作部の操作を阻止する手段」とは、錠前に具備する操作部を隠蔽して操作不能にする手段のことである。
１：錠前に具備する「主面」とは、錠前の操作部がある面のことであり、「他面」とは、錠前の操作部がない面のことである。
【先行技術文献】
【特許文献】
【０００５】
【特許文献１】実開平０６−００８６６８号公報（段落０００３、００１３）
【特許文献２】特許第４９０９６１０号
【特許文献３】実公平０７−００５１９１号公報（問題点を解決すための手段）
【発明の概要】
【発明が解決しようとする課題】
【０００６】
通常携帯している貴重品とは、現金、財布、時計、携帯電話、通帳、宝飾類、電子記録媒体等さまざまであり、貴重品全てを常時携帯することは困難であった。
【０００７】
また、下記に記載した、一時的に貴重品から離れなければならない場合の問題点もあった。
１：交通機関乗車中又は搭乗中の化粧室使用時。
１：入浴中や水泳時。
１：病室に入院中や通院時に、診察室での診察中やレントゲン室での撮影中。
１：学校行事中や修学旅行時での、第三者による貴重品の一括管理。
１：就業研修時、セミナー聴衆時、工場見学時などの、別室での貴重品の一括管理。
１：出張中や社員旅行時の相部屋で、ひとつの鍵による共同金庫使用時。
１：一人旅などで、海外旅行の格安なホテルのフロントや室内金庫に預ける時。
以上の場合等、一時的に貴重品のある場を離れるので、個人的にセキュリティが不安な時もあった。
【０００８】
従来のセキュリティボックスは、防犯上ダブルロックなどのセキュリティ対策が施され、強固に作られた為、携帯用モデルでも非常に重かった。また、軽量化、コンパクト化すると比較的簡易な構造と成り、セキュリティ機能が低下する傾向があった。
【０００９】
従来のセキュリティボックスは、殆どが四角形で持ち運びの際、手提げによる持ち運びが主流であり、バックの中に入れて持ち運びができるファッション的デザインではなかった。
【００１０】
従来のセキュリティボックスは、防犯上収納部内部が外から見えないように作られていた為、出勤時や空港などのセキュリティチェックの際、セキュリティボックスを開けなくてはならず検査時間がかかった。
【００１１】
空港などでは、スポーツ用具や楽器等規格サイズの決まった形状の錠前付きケースや錠前付き旅行用スーツケースなど可視化作用がなく、区別が付き難いので他人の所有物を取り違えたりした。
【００１２】
アウトドアのレジャーなど、銀行やセキュリティ機能がない場合、他人にそのまま預けると不安があり、自分で貴重品を管理するしかなく、ウエストポーチ、バック、ポケットなどに入れて携帯するしかなかった。
【００１３】
従来の錠前を使用したセキュリティボックスの施錠又は解錠の操作方法で、一箇所の開口部を複数の錠前どちらか一方で施錠又は解錠する操作手段は、携帯サイズのセキュリティボックスには無かった。
【００１４】
また、鍵の紛失、盗難又は錠前の故障や、電気、電子関係を使用した錠前の電力消耗等で施錠又は解錠の操作不能の場合、セキュリティボックスの継続使用ができなくなるか、合鍵を携帯していても故意に鍵を窃盗又は紛失した鍵を所持した第三者による、元の鍵を使用したセキュリティボックスの解錠操作の恐れがあった。
【００１５】
従来の錠前を使用したセキュリティボックスは、錠前を解錠できなくなった時、鍵業者に頼んで開けてもらうことはあったが、錠前の故障や鍵の紛失時に、施錠できなくなったセキュリティボックスを鍵業者に頼んで閉めてもらうことはなく、セキュリティボックスが使用不能と成り、錠前とセキュリティボックス全てがそのままごみとなってしまうことがあった。
【００１６】
従来のセキュリティボックスはバリエーションが少なく、鍵や錠前の種類、解錠率、セキュリティボックスの形状など、任意で自由に組み合わせて使用もできず、セキュリティボックスの収容部に書類など丸めたり折ったりして収納するか、折れないものは大きなジュラルミンケースの代用など、収納品をセキュリティボックスの形状に合わせて使っていた。
【００１７】
携帯型セキュリティボックスは安く製造する量産型が多く、鍵の紛失、鍵や錠前の破損等、施錠又は解錠の操作機能が使用ができなくなった場合又はセキュリティボックスの錆や歪みなどによる使用不能の場合、修理代金の方が購入代金より高い傾向にあるか、若しくは海外製品又は構造上の問題で修理不可能の為、ごみとなってしまう場合が多かった。
【００１８】
従来の錠前を備えた金庫の使用方法において、ダイヤル錠とシリンダー錠を合わせた高度なダブルロック防犯機能を搭載していても、施錠と解錠の操作の煩わしさから、通常使用時にダイヤル錠は解錠しておき、他方一箇所の、防犯効果が下がったままのシリンダー錠のみで施錠と解錠の操作をしている場合もあった。
【００１９】
従来のセキュリティボックスは固定された錠前を、高度な防犯機能の付いた錠前や進化する新しい機能の錠前に簡単に交換できなかった。
【００２０】
従来の錠前は、故障や鍵の紛失等で、錠前が使用できなくなった場合でも、現状のままの状態ですぐに錠前の使用停止対策が取れていなかった。
【００２１】
従来のセキュリティボックスは、錠前が使用できなくなると、セキュリティボックスとしての機能が働かなくなり、その時点でセキュリティボックスの継続使用ができなくなった。
【課題を解決するための手段】
【００２２】
上記の問題を解決する手段として本発明は、本体と開閉自在の扉は互に接する同一の開口部に共通のロック部材を有し、前記本体又は前記扉もしくはその両方に具設した錠前係止部材を有する複数の錠前装着部に、閂とダミー錠とを共に収納した状態の錠前を装着でき、かつ施錠状態である前記閂を突出させた状態の前記錠前又は前記ダミー錠を起立させた状態の前記錠前を、前記錠前係止部材を取り外して開設したスペースを応用して前記錠前装着部に着脱できる錠前であって、当該錠前は、いずれか一方の前記錠前が施錠状態で解錠操作が不能の場合、他方の前記錠前が具備する施解錠の操作部を操作して応動させた前記閂で前記ロック部材を解錠状態又は施錠状態に制御する手段と、いずれか一方の前記錠前が解錠状態で施錠操作が不能の場合、前記錠前が具備する前記ダミー錠を起立させて前記ロック部材を強制錠止する手段かつ他方の前記錠前が具備する前記閂で前記ロック部材を施錠状態又は解錠状態に制御する手段と、で前記同一の開口部を開閉させる手段を備えることを特徴とする錠前を提供する。
【００２３】
また、上記錠前は、前記錠前装着部に回転させて装着できる錠前であって、当該錠前に具備する施解錠の操作部がある主面を前記操作部ない他面に向けた隠蔽した状態で前記錠前装着部に装着して、前記錠前が具備する施解錠の前記操作部の操作を阻止する手段を備えたことを特徴とする錠前を提供する。
【００２４】
また、錠前を着脱自在に装着させる錠前係止部材と留め具とを有し、本体と開閉自在の扉が解錠状態で開口した場合に前記留め具を解除して、前記錠前係止部材と錠前とを着脱できる錠前装着部であって、当該錠前装着部に前記錠前の前記主面又は前記他面に向けて装着させる手段と、前記錠前係止部材を取り外して錠前の着脱スペースを開設し、施錠状態である閂を突出させた状態の前記錠前又は施錠状態であるダミー錠を起立させた状態の前記錠前を、開設した前記スペースに移動させて着脱させる手段と、を兼ね備えたことを特徴とする錠前装着部を提供する。
【００２５】
形状の縮小等分化した錠前を、一つの前記錠前装着部に複数装着できる錠前装着部であって、形状の縮小等分化した前記錠前を、一つの前記錠前装着部に重装しかつ各前記錠前の施解錠の操作を同時使用する手段と、前記錠前を重装した錠前収納ケースを着脱できる手段と、を兼ね備えたことを特徴とする錠前装着部を提供する。
【００２６】
錠前が具備するダミー錠と同じ作用効果有し、かつ前記錠前から独立させた単体の形状を有して成るダミー閂の作用を具備する部材を、着脱できる錠前装着部であって、前記ダミー閂の作用を有する部材を当該錠前装着部に装着させ、共通のロック部材を強制錠止する手段を備えたことを特徴とする錠前装着部を提供する。
【００２７】
請求項１または２に記載の錠前を具設し、かつ保護部材と閂部材とを一連に組み合わされた閂機構から成る錠前機構であって、当該錠前機構に具設された閂片を具備する閂を、本体と開閉自在の扉が具備する内壁に対比させ、前記閂の仕様の変更をして、前記閂片と前記内壁が互いに対示又は対向或いは係合して動止させる施錠手段と、前記錠前機構に具設された閂作用部材と錠前が具備する閂との間に前記保護部材を介在させ、前記錠前が具備する前記閂に対する外部から直接受ける破壊力を軽減又は回避又は遮断させる手段と、を兼備したことを特徴とする錠前機構を提供する。
【００２８】
錠前装着部に装着した請求項１または２に記載の錠前を保護する保護部材であって、錠前機構に具設された閂作用部材と前記錠前が具備する閂との間に前記保護部材を介在させて、前記錠前が具備する前記閂を覆う又は遮蔽する手段を備えたことを特徴とする保護部材を提供する。
【００２９】
閂作用を有し、錠前が具備する閂による施解錠の操作に応動する保護部材であって、一つの錠前装着部に形状の縮小等分化した錠前を重装させ、各前記錠前の施錠の操作で前記閂それぞれが同時に前記保護部材を係止させて共通のロック部材を施錠状態に制御し、かつ各前記錠前の解錠の操作で前記閂それぞれが同時に解錠した場合にのみ、各前記閂により係止していた前記保護部材が稼動状態と成り前記ロック部材を解錠状態にする手段を備えたことを特徴とする請求項７に記載の保護部材を提供する。
【００３０】
形状の縮小等分化した請求項１または２に記載の錠前を重層して、各前記錠前による施解錠の操作かつ同時使用の手段を具備する錠前収納ケースであって、当該錠前収納ケースが具備する錠前係合部と互換性のある前記錠前の具備する前記錠前係合部とを係合させて、錠前の外形の形状又は外形の容積を変更せずに前記錠前を装着した前記錠前収納ケースを錠前装着部に装着できる手段と、前記錠前収納ケースに装着した前記錠前の施解錠の操作部を隠蔽する手段と、を備えたことを特徴とする錠前収納ケースを提供する。
【００３１】
具備する錠前装着部に、請求項１または２に記載の錠前を備えた本体と開閉自在の扉であって、建造物、収納部材、収納部を具備する輸送物体及び錠前作用を具備した装置又は部材のいずれかの形状を備えたことを特徴とする本体と開閉自在の扉を提供する。
【００３２】
部材の構造を小型軽量化にできる軽量強化部材から成る請求項１または２に記載の錠前と錠前機構と錠前装着部材とを、本体と開閉自在の扉の内部に着脱できるセキュリティボックスであって、当該セキュリティボックスは、透明または半透明な合成樹脂又は複合素材の繊維強化プラスチックから成る可視化作用とデザイン加工を施した形状を兼備し、前記錠前装着部が具備する留め具を解除して錠前係止部材を着脱し、閂とダミー錠とを収納した解錠状態の前記錠前かつ施錠状態で前記閂を突出させた状態又は前記ダミー錠を起立させた状態の前記錠前を、前記本体と前記扉の内部に具設した前記錠前装着部に装着する手段と、前記錠前を装着した錠前収納ケースかつ錠前着脱係合部材に装着して、前記本体と前記扉の内部に装着する手段と、前記セキュリティボックスに具備する隠蔽部材又は光学液晶及び電性液晶の作用効果で、前記錠前に具備する施解錠の操作部かつ前記セキュリティボックスの内部を隠蔽する手段と、を備えたことを特徴とするセキュリティボックスを提供する。
【００３３】
さらに、上記セキュリティボックスは、筐体又は筒状又はキャップ状又はハニカム構造から成る空洞化形状又は固体形状等の形状、或いはごく細い棒状の形状又はごく薄い板状の形状等の形状とデザイン加工を施した形状を兼備し、軽量でかつ堅固な部材から成る錠前及び錠前機構及び錠前装着部を備えことを特徴とするセキュリティボックスを提供する。
【００３４】
また、上記セキュリティボックスは、錠前に具備するダイヤルやデジタル等の表示部を含む施錠操作又は解錠操作の操作部を隠蔽する手段を備えことを特徴とするセキュリティボックスを提供する。
【００３５】
さらに、前記セキュリティボックスは、施錠状態又は解錠状態いずれの場合でも、複数いずれかの錠前で、同一の開口部を開閉して継続使用ができるセキュリティボックスであって、一方の前記錠前が施錠状態で解錠操作が不能の場合、他方の前記錠前による施解錠の操作する手段と、一方の前記錠前が解錠状態で施錠操作が不能の場合、解錠状態の前記錠前に具備するダミー錠を起立させた状態にして前記錠前装着部に装着させ、共通のロック部材を強制錠止させる手段かつ他方の錠前による施解錠の操作手段と、前記錠前装着部に装着した複数いずれかの錠前による施解錠の操作が不能の場合、前記錠前が具備する前記主面を前記他面に向けて前記錠前装着部に装着させる又は前記錠前が具備する隠蔽部材で前記錠前の施解錠の操作部を遮蔽して前記錠前の施解錠の前記操作部の操作を阻止する手段と、で前記同一の開口部を複数いずれかの錠前で開閉させる継続使用の手段を具備したセキュリティボックスを提供する。
【発明の効果】
【００３６】
本発明の効果として、本発明の錠前は、本体又は開閉自在の扉もしくはその両方の錠前装着部に着脱自在に装着できる錠前であり、ダミー錠を兼ね備え、施錠操作が不能になった錠前の閂に代えて、ダミー錠を突出させた状態で錠前装着部に再装着させる手段により、施錠と解錠の操作を阻止する強制錠止手段を兼備する錠前である。
【００３７】
また、本発明の錠前は、装着した複数いずれかの錠前が施錠又は解錠の操作不能の状況でも、施錠又は解錠の操作不能となった錠前を、本体又は開閉自在の扉から一度取出し、施錠と解錠の操作部がある主面を回転させ他面に向けて再装着する手段により、施錠と解錠の操作部を隠蔽して錠前操作を阻止する、施錠操作及び解錠操作を阻止する手段も兼備する錠前である。
【００３８】
また、本体及び開閉自在の扉もしくはその両方に具備する錠前装着部は、錠前係止部材を兼ね備え、錠前の施錠と解錠の操作部のある主面（表面）又は他面（多角形の場合、装着可能な各面）を向けて装着でき、さらに、錠前係止部材を着脱して、錠前が具備する閂及びダミー錠を突出させた使用状態でも、錠前を錠前装着部に容易に着脱できる。
【００３９】
さらに、一つの錠前装着部に形状の等分化された錠前を、直接又は錠前収納ケースに装着して、（２分の１サイズの錠前を２個、３分の１サイズを３個等）重ねて重装でき、各錠前の同時使用もできる。また、錠前収納ケースは、錠前と互換性のある係合部を兼ね備え、錠前の兼ね備えた係合部を錠前収納ケースの係合部に係合させて装着することで錠前装着部に装着する際の、錠前の収納容積又は外形の形状又は外形の容積の変化がないまま錠前を容易に単体もしくは複数重ねて錠前装着部に着脱でき、例えば、錠前収納ケースに縮小した同じ構造の錠前を複数使用の場合、一箇所の同じ錠前装着部でも、（２倍、３倍等）セキュリティレベルを簡単に上げることができる。また、錠前を回転させずに錠前収納ケースに装着し、装着した錠前の主面を向けた状態で錠前収納ケースを錠前装着部に装着しても、錠前収納ケースの係合部が錠前の施錠及び解錠の操作部又は操作表示部を隠蔽できる。
【００４０】
また、本発明の錠前が兼ね備えた閂とダミー錠を保護する保護部材は、一連に組み合わされた閂機構である錠前機構に配設され、錠前が兼ね備えた閂とダミー錠を遮蔽又は覆う保護作用と施錠又は解錠の操作に応動する閂作用を兼ね備えた保護部材であり、錠前機構及び保護部材を介在させる手段により、保護部材に対して外部から直接受ける破壊力のベクトル方向を、垂直に交わる方向もしくは平行（パラレル）な方向等に変更させ、錠前が具備する閂に対し、破壊力のベクトル方向を玉突き状態の方向に押し込む（又は引き抜く）ことを回避もしくは阻止することで、錠前が具備する閂の構造を、過剰に堅固な耐久性を持たない小型軽量化にすることができる。
【００４１】
また、錠前着脱係合部材は、錠前着脱係合部材の装着部に錠前を装着して、本体及び開閉自在の扉の内部に、ワンタッチで容易に着脱自在にセットでき、一度に複数の前記錠前の交換ができる。
また、錠前係止部材は、本体と開閉自在の扉が解錠状態で開口した場合にのみ、錠前装着部が具備する留め具を解除して、錠前装着部の内部に具設された錠前係止部材収納部に着脱でき、かつ前記錠前係止部材を取り外して、施錠状態である錠前の着脱スペースを空けて、施錠状態である閂を突出させた状態の錠前又はダミー錠を起立させた状態の錠前を、開設して空けたスペースに移動させて着脱できる。
【００４２】
さらに、本発明の錠前は、錠前装着部と錠前収納ケースと錠前係止部材と保護部材と錠前機構と共に互換性及び互いに係合部を有することにより、用途や目的に合わせて、本体及び開閉自在の扉から成る建造物、収納部材、収納部を具備する輸送物体等の形状及び錠前作用を具備した装置（部材）を選択して使用できる。
【００４３】
上記記載の各効果を有する本発明の錠前を、着脱自在に装着できる本体及び開閉自在の扉から成るセキュリティボックスは、透明又は半透明な合成樹脂又は複合素材の繊維強化プラスチックから成り、セキュリティボックスを開口せずに視認できる可視化作用とデザイン加工を施した形状とセキュリティボックスに具備する（液晶作用を含む）隠蔽部材により、錠前の施錠と解錠の操作部及びセキュリティボックスの内部を隠蔽する手段を兼ね備え、強化軽量化された多面体又は丸みを帯びたフォルムの形状はファッション効果を生み出し、セキュリティボックスと錠前を自由に組み合わせて、オリジナルなセキュリティボックスを気軽に持ち運べ、さらに、一方の錠前が施錠したままの解錠不能の状態でも、他方の錠前による解錠操作及び施錠操作の手段と解錠不能の錠前の主面を他面に向けて装着する施錠操作及び解錠操作を阻止する手段又は一方の錠前が解錠したままの施錠不能の状態でも、ダミー錠を突出させた状態で錠前装着部に再装着する手段で、セキュリティボックスを強制錠止する手段と他方の錠前による施錠操作及び解錠操作の手段により、セキュリティボックスが互に接する同一の開口部を、複数いずれかの錠前で開口又は閉口でき、セキュリティボックスの継続使用手段を可能とする、本発明の錠前及びセキュリティボックスを提供する。
【図面の簡単な説明】
【００４４】
【図１】蝶着型セキュリティボックスの本体と蓋の断面図を用いた正面方向からの説明図。
【図２】（イ）錠前装着部に装着した錠前の断面図を用いた説明図。（ロ）錠前装着部に装着した錠前と閂と保護部材の断面図を用いた説明図。
【図３】スライド式摘子の断面図を用いた説明図。
【図４】（イ）セキュリティボックスの本体と蓋に具設された凸設部の断面図を用いた説明図。（ロ）セキュリティボックスの本体と蓋を右横方向からの断面図を用いた説明図。
【図５】蝶着型セキュリティボックスの本体と蓋の解錠状態の正面方向からの断面図を用いた説明図。
【図６】蝶着型セキュリティボックスの本体と蓋の開口状態の正面方向からの断面図を用いた説明図。
【図７】（イ）錠前に具備するダミー錠の断面図を用いた説明図。（ロ）錠前に具備するダミー錠の断面図を用いた説明図。（ハ）錠前に具備するダミー錠の断面図を用いた説明図。
【図８】（イ）錠前に具備する主面の説明図。（ロ）錠前に具備する他面の説明図。
【図９】（イ）隠蔽部材を具設する錠前の説明図。（ロ）隠蔽部材により操作部を隠蔽した錠前の説明図。
【図１０】回転式施錠及び解錠の操作手段を備えたセキュリティボックスの施錠状態の正面方向からの断面図を用いた説明図。
【図１１】（イ）錠前装着部に装着した錠前の断面図を用いた説明図。（ロ）錠前装着部に装着した錠前と閂と保護部材の断面図を用いた説明図。
【図１２】シリンダー機構の後方向からの断面図を用いた説明図。
【図１３】閂機構の一部を抜粋した施錠状態の正面方向からの断面図を用いた説明図。
【図１４】閂機構の一部を抜粋した解錠状態の正面方向からの断面図を用いた説明図。
【図１５】シリンダー機構を具備するセキュリティボックスの横方向からの断面図を用いた説明図。
【図１６】閂機構の一部を抜粋した施錠状態のセキュリティボックスの断面図を用いた正面方向からの説明図。
【図１７】閂機構の一部を抜粋した解錠状態のセキュリティボックスの断面図を用いた正面方向からの説明図。
【図１８】回転式施錠及び解錠の操作手段を備えたセキュリティボックスの解錠状態の正面方向からの断面図を用いた説明図。
【図１９】錠前装着部に装着した複数の錠前による施錠状態の閂ホルダーの説明図。
【図２０】平行スライド型施錠及び解錠の操作手段を備えた、セキュリティボックスの施錠状態の正面方向からの断面図を用いた説明図。
【図２１】（イ）セキュリティボックス本体開口部の縁端に具設した直上に伸びたプレートの説明図。（ロ）セキュリティボックスの蓋の前後の内側壁に具設した閂の断面図を用いた説明図。（ハ）セキュリティボックス本体開口部の縁端に具設した直上に伸びたプレートの説明図。
【図２２】セキュリティボックスの本体及び蓋に具備する複数の閂の断面図を用いた説明図。
【図２３】平行スライド型施錠及び解錠の操作手段を備えたセキュリティボックスの解錠状態の正面方向からの断面図を用いた説明図。
【図２４】（イ）錠前装着部に装着した錠前の断面図を用いた説明図。（ロ）錠前装着部に装着した錠前と閂と保護部材の断面図を用いた説明図。
【図２５】（イ）錠前装着部に装着した錠前と閂に具備した先端片の断面図を用いた説明図。（ロ）錠前装着部に装着した錠前と閂に具備した先端片と保護部材の断面図を用いた説明図。
【図２６】（イ）錠前収納ケースの正面方向からの説明図。（ロ）錠前収納ケースの底面方向からの説明図。（ハ）錠前収納ケースの側面方向からの説明図。
【図２７】（イ）錠前の局所に具設した凹部の正面方向からの説明図。（ロ）錠前の局所に具設した凹部及び係合部の底面方向からの説明図。（ハ）凹部を具設した錠前の形状の縮小等分化した複数の錠前装着時の正面方向からの説明図。
【図２８】（イ）錠前収納ケースと係合部を係合した錠前の正面方向からの説明図。（ロ）錠前収納ケースと係合部を係合した錠前の底面方向からの説明図。（ハ）錠前収納ケースと係合部を係合した形状の縮小等分化した複数の錠前の正面方向からの説明図。
【図２９】（イ）錠前着脱係合部材が具備する錠前装着部に係合した錠前係止部材と錠前の正面方向からの説明図。（ロ）錠前着脱係合部材が具備する錠前装着部に係合した錠前係止部材と錠前の上方向からの説明図。
【図３０】（イ）セキュリティボックスの本体内側に錠前着脱係合部材を押入して係合した正面方向からの断面図を用いた説明図。（ロ）セキュリティボックスの本体内側に錠前着脱係合部材を押入して係合した上方向からの断面図を用いた説明図。
【図３１】複数の錠前を装着した錠前装置の正面方向からの断面図を用いた説明図。
【図３２】錠前装置の本体及び錠前装置の本体に具備する共通の閂と錠前装置の蓋に具備する下部縁端部の断面図を用いた説明図。
【図３３】錠前装置の本体開口部に具設されている複数の欠切孔の説明図。
【図３４】錠前装置の本体に具設された共通の閂の解錠状態の正面方向からの説明図。
【図３５】錠前装着部に装着した錠前の断面図を用いた説明図。
【図３６】錠前を錠前装着部に縦に装着した正面方向からの断面図を用いた説明図。
【図３７】（イ）「Ｌの字」型の閂ホルダーの説明図。（ロ）「コの字」型の閂ホルダーの説明図。（ハ）キャップ形状の閂ホルダーの説明図。
【図３８】（イ）錠前装着部の外側に具設した閂収納凹部と錠前装着部に装着した錠前の施錠状態の正面方向からの断面図を用いた説明図。（ロ）錠前装着部に装着した錠前と閂ホルダーの側面方向からの説明図。（ハ）錠前装着部に装着した錠前の解錠状態の正面方向からの断面図を用いた説明図。
【発明を実施するための形態】
【００４５】
本発明の最良の形態として、複数の錠前を使用した３つの実施例及びその変形例により、構造と手段について説明する。各実施例及び変形例の、共通事項の注釈を下記に記載する。
【００４６】
1：図中に表示する同一番号は同じ構造であって、末尾のハイフン以下の符号（Ａ〜C）違いの場合は説明上省略し、代表枝番「−Ａ」のみで解説する。(ただし、説明上必要の場合は、その限りではない。）
１：図の説明において、同一番号の図中に図の表記が複数有る場合には、末尾のハイフン以下の符号（「イ」「ロ」「ハ」の文字の違い）で表記する。
１：「保護部材」とは、閂作用を具備する錠前機構に具設された部材のことである。
１：各例文中に記載された、「スペースエリア」及び「ストライクエリア」は、閂作用を具備する保護部材の収納部（空間又はスペース）である。
１：請求項記載の、錠前を具設した本体及び開閉自在の扉を、以下例文では、錠前を具設したセキュリティボックス又は錠前装置として説明する。
１：錠前装着部に装着した錠前は、セキュリティボックスが施錠時は脱着できないものとする。
１：錠前に具設した閂及びダミー錠の操作は、錠前に具備する摘子により操作するものとする。（説明文中は省略。）
【００４７】
本発明を実施する為の最良の形態の実施例１は、セキュリティボックスの本体とセキュリティボックスの蓋を蝶着した型の、セキュリティボックスを説明する。
【００４８】
図１は正面から見た断面図であって、セキュリティボックスの本体２１とセキュリティボックスの蓋２２から成り、背面は蝶番１３で、セキュリティボックスの本体２１とセキュリティボックスの蓋２２が固定されている。
【００４９】
セキュリティボックスの施錠方法として、図２（イ）のセキュリティボックスの本体２１に具備する錠前装着部２３−Ａに装着した錠前１−Ａを施錠する手段により、図２（ロ）の錠前１−Ａに具備している閂２−Ａを右方向にスライドさせ、閂２−Ａを突出させる。突出した閂２−Ａが、セキュリティボックスの本体２１内部に具設している左右動可能な保護部材３−Ａを、スペースエリア４−Ａの位置から右方向押進し、ストライクエリア５−Ａの位置へ押入する。押入された保護部材３−Ａが、ストライクエリア５−Ａの位置で係止する。
【００５０】
図１のストライクエリア５−Ａに押入された保護部材３−Ａは、同一の開口部２５に具設された共通の閂２０の下側端を係止さる。また、もう一方のセキュリティボックスの蓋２２に具備する錠前装着部２３−Ｂに装着した、現在施錠状態で錠前１−Bに具備している閂２−Bにより、保護部材３−Bは同一の開口部２５に具設された共通の閂２０の上側端を係止して、閂機構の一部に配設された共通の閂２０の上下両側端を、保護部材３−Ａと保護部材３−Bが係止させる。
【００５１】
押入された保護部材３−Ａと現在施錠状態にある保護部材３−Bは、共通の閂２０を上下挟持させた状態で錠止させ、錠止した共通の閂２０により、スライド式摘子７は右方向へスライドできず錠止され、セキュリティボックスは施錠状態と成る。
【００５２】
図３のスライド式摘子７は、セキュリティボックスの外側に位置する稼動動作部６とセキュリティボックスの内側に位置する挟持部９から成る。スライド式摘子７が具備するセキュリティボックスの内側に位置する挟持部９は、図３のセキュリティボックスの本体２１内部に具備された壁面１７の縁端の局所に腕木状に具設された凸設部１０とセキュリティボックスの蓋２２内部に具備された壁面１８の縁端の局所に腕木状に具設された凸設部１１を挟持して施錠する。  
【００５３】
上記記載事項の注釈として詳細に記載すれば、図１の保護部材３−Ａは、閂２−Ａと共通の閂２０の中間に介在し、案内突起を具備する保護部材３−Aは、案内溝を具備するセキュリティボックスの本体２１の内面と互に接する面の、少なくともひとつの面でかみ合った状態で係合しあい、案内溝に沿って移動可能に取り付けられている。(図省略）図１の保護部材３−Ａとセキュリティボックスの本体２１は、共に介在する弾性体８−Ａにより係合している。
【００５４】
図４（イ）のセキュリティボックスの本体２１内部に具設した凸設部１０とセキュリティボックスの蓋２２内部に具設した凸設部１１は、共に同じ作用と形状を具備する。
【００５５】
図４（ロ）のセキュリティボックスの本体２１内部に具備された凸設部１０は、セキュリティボックスの本体２１内部に具備する収納部を形成している壁面１７の局所の位置に具設され、その壁面１７の縁端の局所にセキュリティボックスの本体２１の前面に向かって腕木状に折り曲げた凸設部である。また、図４（ロ）のセキュリティボックスの蓋２２内部に具備された凸設部１１は、セキュリティボックスの蓋２２内部に具備する収納部を形成している壁面１８の局所の位置に具設され、その壁面１８の縁端の局所にセキュリティボックスの蓋２２の前面に向かって腕木状に折り曲げた凸設部である。
【００５６】
セキュリティボックスの解錠方法として、図２（ロ）のセキュリティボックスの本体２１に具備する錠前装着部２３−Ａに装着した錠前１−Ａを解錠し、錠前１−Ａに具備している閂２−Ａを左方向にスライドさせ、図２（イ）の錠前１−Ａの内部に閂２−Ａを収納させる手段により、図５のセキュリティボックスの本体２１に具備する弾性体８−Ａが、係合した保護部材３−Ａをストライクエリア５−Ａの位置から押進し、閂２−Ａのあった左方向のスペースエリア４−Ａへ押入する。
【００５７】
図５のストライクエリア５−Ａが空いたスペースと成り、移動可能に成った共通の閂２０は、図６の共通の閂２０に具備する摘子１９の操作により、直下方向のストライクエリア５−Ａへ移動し、図４（イ）の共通の閂２０が係止していた閂開放部エリア２４の空いたスペースに、図３のスライド式摘子７に具設された稼動動作部６を右方向にスライドさせる。
【００５８】
図３のスライド式摘子７に具備する挟着部９により、挟着状態に錠止していたセキュリティボックスの本体２１内部に具備された凸設部１０とセキュリティボックスの蓋２２内部に具備された凸設部分１１の閂が、共にスライド式摘子７に具備する挟持部９による挟着状態から開放された状態と成り、解錠されたセキュリティボックスの本体２１とセキュリティボックスの蓋２２は、図４（ロ）の背面に具備する蝶番１３を介して開口できる。
【００５９】
上記記載事項の注釈として、セキュリティボックスの本体２１に具備する保護部材３−Ａとセキュリティボックスの蓋２２に具備する保護部材３−Bとセキュリティボックスの本体２１とセキュリティボックスの蓋２２の両方に兼備する共通の閂２０及びスライド式摘子７は、複数の閂及び閂作用を具備した部材から成る、一連に組み合わされて配設された閂機構であって、セキュリティボックスの本体２１とセキュリティボックスの蓋２２が共に兼備する錠前機構のことである。
【００６０】
本発明のセキュリティボックスの特徴である、継続使用できる手段の一例として、解錠状態の時に、図２（イ）のセキュリティボックスの本体２１に具備する錠前装着部２３−Ａに装着した錠前１−Ａが施錠できない場合には、通常であればセキュリティボックスが施錠できなく成り、セキュリティボックスの機能を果たせずその時点で使用不可能と成る。
【００６１】
しかし、本発明のセキュリティボックスはこの問題も解決し、図２（イ）の解錠状態で開口可能なセキュリティボックスを開けて、セキュリティボックスの本体に具備する錠前装着部２３−Ａから錠前１−Ａを一旦取出し、図７（イ）の錠前１−Ａに具備された閂２−Ａの、反対側の位置に具備された錠前の閂作用を具備するダミー錠１２−Ａをスライドして突出させる。
【００６２】
図７（ロ）のスライドして突出された、錠前の閂作用を具備するダミー錠１２−Ａの施錠手段により、使用不能になった錠前１−Ａに具備している閂２−Ａに換えて、図７（ロ）の錠前１−Ａに具備されるダミー錠１２−Ａを、図７（ハ）のセキュリティボックスの本体２１に具備する錠前装着部２３−Ａに装着する。
【００６３】
図７（ハ）の錠前１−Ａの前後の向きを変えてセキュリティボックスに装着したダミー錠１２−Ａが、セキュリティボックスに具設された保護部材３−Ａを、ストライクエリア５−Ａの位置で係止させ、複数の閂を配設した錠前機構を錠止させる。
【００６４】
使用不能になった錠前１−Ａに具備する閂２−Ａに換えて、施錠操作及び解錠操作のできないダミー錠１２−Ａをセキュリティボックスの本体２１に具備する錠前装着部２３−Ａに装着する手段により、セキュリティボックスを常時施錠状態にして、錠前の施錠操作と解錠操作を完全に阻止する手段を兼備する。また、もう一方の錠前１−Bによるセキュリティボックスの施錠操作により閉口操作もでき、引き続き錠前１−Bによる施錠操作と解錠操作手段で、セキュリティボックスの使用継続が可能と成る。
【００６５】
上記記載の、ダミー錠（１２−Ａ）とは、ダミー閂及びダミー閂の作用を具備する部材を含む概念の総称であり、本発明では「ダミー錠」で、統一表記をする。
【００６６】
注尺として、一度セットしたダミー錠は、解錠しない限り施錠状態とする。また、ダミー錠は内蔵タイプ以外にも、キャップ等の一方に具設して、方向を変えて起立させ、錠前に再装着させるタイプや回動させて突出した状態にするタイプなど、上記記載の以外の多様なタイプがある。
【００６７】
本発明のセキュリティボックスの特徴である継続使用できる手段の一例として、例えば施錠状態の時に、図１の一方の錠前である、セキュリティボックス本体２１に具備する錠前１−Ａが解錠できない場合でも、他方の錠前であるセキュリティボックスの蓋２２に具備する錠前１−Bを解錠操作することにより、セキュリティボックスの解錠操作が可能と成り、二つの異なる複数の錠前で施錠したセキュリティボックスの同一の開口部２５を開口でき、かつ錠前１−Bによるセキュリティボックスの施錠操作により閉口操作もでき、引き続き錠前１−Bによる施錠操作と解錠操作手段でセキュリティボックスの使用継続が可能と成る。
【００６８】
また、セキュリティボックスを施錠した状態で、鍵の紛失、盗難、鍵の携帯忘れ等このままでは前記鍵を所持した第三者による、セキュリティボックスの解錠行為が心配される場合の、本発明のセキュリティボックスの防犯強化対策手段の一例として、上記記載の、いずれかの手段でセキュリティボックスを開口し、図２（イ）の開口したセキュリティボックスの本体２１に具備する錠前装着部２３−Ａから錠前１−Ａを一旦取出す。
【００６９】
取出した図８（イ）の錠前１−Ａに具設された施錠と解錠の操作部１４がある錠前の主面１５を、一例として１８０度回転させ、施錠と解錠の操作部１４が具設されていない他の面のひとつである、図８（ロ）の錠前１−Ａの裏面１６を向けた後に、再びセキュリティボックスの本体２１に具備する錠前装着部２３−Ａに、錠前１−Ａを裏面１６を向けたまま再装着させる手段により、錠前１−Ａに具設する施錠と解錠の操作部１４がなく、施錠した状態で施錠操作及び解錠操作を完全に阻止する手段を兼備する。
【００７０】
また、本発明のセキュリティボックスの特徴である継続使用できる手段の一例として、図１のセキュリティボックスに具備する錠前装着部２３−Ａ及び錠前装着部２３−Bに、容易に着脱自在に任意の錠前を装着できる手段により、例えば、使用不能となった錠前１−Ａ本体を携帯した別の任意の錠前と交換し、別の任意の錠前を容易にセキュリティボックスの錠前装着部２３−Ａに装着して、引き続きセキュリティ状態を安全に維持したまま任意の錠前による施錠操作及び解錠操作で、セキュリティボックスの継続使用を可能にする手段を兼備する。
【００７１】
さらに、別例として、セキュリティボックスの本体２１に具備する錠前装着部２３−Ａから、図９（イ）の錠前２６を一旦取出して、錠前２６に具設された施錠と解錠の操作部１４を、図９（ロ）の錠前２６に具設された隠蔽部材２７をスライドして遮蔽する、隠蔽部材を使用した隠蔽手段もある。
【００７２】
注釈として、錠前２６に具設された隠蔽部材２７は、錠前２６を錠前装着部２３−Ａから取り外した時のみ、操作できるものとする。
【００７３】
また、注釈として、上記記載の実施例１及び別例は、本発明を実施する為の最良の形態一例である。
【００７４】
本発明を実施する為の最良の形態の実施例２は、回転式施錠及び解錠の操作手段を備えた、セキュリティボックスの構造と手段について説明する。図１０はセキュリティボックスの蓋２８の前面に回転式施錠及び解錠の操作手段を備えた、セキュリティボックスの正面から見た断面図である。
【００７５】
セキュリティボックスの施錠方法として、図１１（イ）のセキュリティボックスの蓋２８に具備する錠前装着部３０−Ａに装着した錠前３１−Ａを施錠する手段により、図１１（ロ）の錠前３１−Ａに具備する閂３２−Ａを右方向にスライドさせ閂３２−Ａを突出させる。突出した閂３２−Ａが、セキュリティボックスの蓋２８内部に具設している左右動可能な保護部材３３−Ａを、スペースエリア３４−Ａの位置から右方向へ押進しストライクエリア３５−Ａに押入する。押入された保護部材３３−Ａが、ストライクエリア３５−Ａの位置で係止する。
【００７６】
ストライクエリア３５−Ａに押入された保護部材３３−Ａは、図１２のシリンダー機構である、円軸３６と円軸３６に係合した閂３７及び円盤型回動部３８の（正面方向から見て）左回動を係止させる。
【００７７】
また、図１３のセキュリティボックスの蓋２８に具備する錠前装着部３０−Bに装着した、現在施錠状態で錠前３１−Bに具備する閂３２−Bにより、図１３のストライクエリア３５−Bにある保護部材３３−Bは、円軸３６と円軸３６に係合した閂３７及び円盤型回動部３８の右回動を係止して、図１３の閂機構の一部に配設された円軸３６と円軸３６に係合した閂３７及び円盤型回動部３８の左右回動を、保護部材３３−Ａと保護部材３３−Bが係止させる。
【００７８】
図１３の保護部材３３−Ａと現在施錠状態にある保護部材３３−Bは、円軸３６と円軸３６に係合した閂３７及び円盤型回動部３８を、回動不能の状態で錠止させ、錠止した円軸３６と円軸３６に係合した閂３７及び円盤型回動部３８により、図１０の円盤型回動部３８の表面に具設した摘子３９は左右回動不能の錠止状態に成り、図１０のセキュリティボックスは施錠状態と成る。
【００７９】
セキュリティボックスの解錠方法として、図１０のセキュリティボックスの蓋２８に具備した錠前装着部３０−Ａに装着した錠前３１−Ａを解錠し、図１１（ロ）の錠前３１−Ａに具備する閂３２−Ａを左方向にスライドさせ、図１１（イ）の錠前３１−Ａの内部に閂３２−Ａを収納させる手段により、図１０のセキュリティボックスの蓋２８に具備する弾性体（図省略）が、係合した保護部材３３−Ａをストライクエリア３５−Ａの位置から左方向へ押進し、図１１（イ）のスペースエリア３４−Ａの位置に保護部材３３−Ａを押入する。図１１（イ）のストライクエリア３５−Ａが空いたスペースと成り、保護部材３３−Ａにより回動不能の状態で錠止していた、円軸３６と円軸３６に係合した閂３７及び円盤型回動部３８は保護部材３３−Ａによる錠止状態から回動可能と成る。
【００８０】
図１５の円盤型回動部３８の表面に具設した摘子３９により、図１４の円盤型回動部３８を左に１８０度回動させ、円盤型回動部３８と係合した図１５の円軸３６と円軸３６と係合した閂３７が回動し、閂３７の具備する劣弧部４０により、セキュリティボックスの蓋２８に具備された、閂４５上部縁端４２を直下方向へ押入する。
【００８１】
図１５のセキュリティボックスの蓋２８の内部に具設された、閂４５の上部縁端部４２はアーチ型を形成した半円柱形状であり、もう一方の閂４５の下部は、セキュリティボックスの蓋２８の前後内側に一本ずつ架設した状態で下方に向かって延設され、閂４５の下部縁端部４３の底面はフラット形状である。
【００８２】
閂４５は、セキュリティボックスの蓋２８の前後の内壁面に具備する閂収納部４４内で、上下動可能に架設した状態で配設されている。また、図１６の閂４５の下部縁端４３は、セキュリティボックスの蓋２８に具備する閂収納部４４内で、係合部材４７を介して、上下動可能に弾性体４８と係合している。
【００８３】
図１６のセキュリティボックスの蓋２８の内部に具設された閂４５と歯車部５０は、局所の位置で歯筋部を介して互いにかみ合った状態で係合しあい、図１５の閂４５に具設する歯筋部４６の上下動で歯車部５０に具設する歯筋部５１は従動し、歯車部５０の中心軸５２を介して回動する。
【００８４】
図１７の歯車部５０と係合した閂５４は歯車部５０の回動に従動し、閂５４に具備する「Ｌの字」型の先端部５３を、左右外側に開くように水平方向へ移動させる。図１７の閂５４が水平方向の位置で係止され、セキュリティボックスの本体２９に具備するストライク４９から閂５４の「Ｌの字」型の先端部５３が抜けてセキュリティボックスが解錠され、図１８のセキュリティボックスの本体２９とセキュリティボックスの蓋２８が嵌脱状態と成る。
【００８５】
上記注釈として、図１５の閂４５に具設する歯筋部４６と図１６の歯車部５０に具設する歯筋部５１と歯車部５０の中心軸５２と歯車部５０と係合した閂５４と閂５４に具備する「Ｌの字」型の先端部５３とセキュリティボックスの本体２９に具備するストライク４９は、セキュリティボックスの蓋２８及びセキュリティボックスの本体２９の裏面側にも、同じように配設されている。
【００８６】
上記注釈として、図１５のの円盤型回動部３８は、シリンダー作用をする一体型構造を形成し、円軸３６と係合した劣弧部４０を具備する閂３７から成る。
【００８７】
また、錠前機構とは、複数の閂及び閂作用を具備した部材から成る、一連に組み合わされて配設された閂機構のことである。
【００８８】
次に、複数の閂を配設した錠前機構のひとつである保護部材３３−Ａの構造と役割について、さらに詳しく説明する。図１３の保護部材３３−Ａは、閂３２−Ａと閂３７の中間に介在し、案内突起を具備する保護部材３３−Ａは、案内溝を具備するセキュリティボックスの蓋２８の内部と接する面の少なくとも一面で、介在する案内溝に沿って、閂３３−Ａの案内突起が移動可能に取り付けられており案内突起を具備した保護部材３３−Ａが一定方向に移動する。（図省略）
【００８９】
保護部材３３−Ａの主な役割は、錠前３１−Ａに具備する閂３２−Ａへの外部からの直接的破壊攻撃を回避させる手段であり、例えば、図１２及び図１３の円軸３６と円軸３６に係合した閂３７と閂３７係合した円盤型回動部３８を無理に回動させる解錠破壊攻撃があっても、閂３７と閂３７に係合した円盤型回動部３８は、セキュリティボックスの蓋２８が具備する案内溝と係合した、保護部材３３−Ａを押進することになり、外力は直接、セキュリティボックスの蓋２８の案内溝と係合した保護部材３３−Ａにかかり、閂３２−Ａ及び錠前３１−Ａにはかからない。
【００９０】
したがって、図１３の保護部材３３−Ａを介在させる手段により、錠前３１−Ａと閂３２−Ａにかかる外力の直接的破壊攻撃力が減免されるので、錠前３１−Ａ及び閂３２−Ａは解錠破壊行為による過剰な耐久性を必要とせず、錠前３１−Ａ及び閂３２−Ａの小型化、軽量化が可能と成る。
【００９１】
さらに、保護部材から成る閂ホルダーは、一箇所の錠前装着部に装着した単数もしくは複数の錠前が具備する閂操作で、同一の閂ホルダーを施錠できる。複数の錠前による施錠操作時に、一方の錠前を解除しても他方の錠前により施錠状態が維持される。
【００９２】
図１９の例では、錠前装着部５５に装着した錠前５６の具備する閂５７は、錠前５６内部に収納された状態であり、他方の錠前５８の具備する閂５９のみで、キューブ型閂ホルダー６０を係止させている。
【００９３】
注釈として、上記記載の保護部材は、保護部材であるキューブ型閂ホルダーの一例であり、保護部材から成る閂ホルダーの構造及び機能を具備する部材の形状は、上記記載の保護部材から成る閂ホルダーの一例とは限らない。
【００９４】
また、上記記載の注釈として、説明文上省略した、同じ構造と作用を具備した部材の枝番「−Ａ」以外の枝番から成る部材も、必要に応じて左右対称部及びセキュリティボックスの裏面部に具設されているものとする。（図省略）
【００９５】
また、上記記載の実施例２及び別例は、本発明を実施する為の最良の形態一例である。
【００９６】
本発明を実施する為の最良の形態の実施例３は、平行スライド型施錠及び解錠の操作手段を具備した、セキュリティボックスの構造と手段について説明する。
【００９７】
図２０は、平行スライド型施錠及び解錠の操作手段を具備した、セキュリティボックスの本体と蓋の正面から見た断面図である。注釈として、図２０のセキュリティボックスの、開口部の縁端６４の両端一部の実線を、説明上省略して説明してある。
【００９８】
平行スライド型セキュリティボックスの使用方法として、セキュリティボックスの本体６１とセキュリティボックスの蓋６２から成り、セキュリティボックスの本体６１は、図２１（イ）のセキュリティボックス本体開口部の縁端６４に、直上に伸びたプレート７０を具設し、プレート７０は局所に、腕木状に具設する凸部形状の閂６５を等間隔で複数配設する。プレート７０は、セキュリティボックスの本体開口部の前後の縁端６４に具設され、形状と作用は同じである。
【００９９】
図２１（ハ）の凸部形状の閂６５は、具設したプレート７０の局所に腕木状に伸びた閂６５を、セキュリティボックスの本体の外側に向けた状態で、等間隔で複数配設したものである。図２１（ロ）の凸部形状の閂６６は、セキュリティボックスの蓋６２の前後の内側壁６７の局所に腕木状に伸びた閂６６を、セキュリティボックスの蓋６２の内側に向けた状態で、等間隔で複数配設したものである。
【０１００】
図２２のセキュリティボックスの蓋６２は、等間隔で配設した複数の閂６６を、セキュリティボックスの本体６１に具備する等間隔で配設した複数の閂６５の間隔部６８に、直下型の方向で押入して嵌合させる。
【０１０１】
図２２のセキュリティボックスの本体６１に具備する複数の閂６５の直下位置６９それぞれに、セキュリティボックスの蓋６２に具備する複数の閂６６を、スライドさせて互いに対向させる。図２３のセキュリティボックスの本体６１に具備する複数の閂６５とセキュリティボックスの蓋６２に具備する複数の閂６６の互いに対向した状態が、セキュリティボックスの本体６１とセキュリティボックスの蓋６２の中心線上で嵌合した状態である。セキュリティボックスの本体６１に具備する複数の閂６５とセキュリティボックスの蓋６２に具備する複数の閂６６は互いに対向しあい、上下動による移動が係止され錠止状態と成る構造である。
【０１０２】
セキュリティボックスの施錠方法として、図２４（イ）のセキュリティボックスの本体６１に具備する錠前装着部６３−Ａに装着した錠前７１−Ａを施錠する手段により、錠前７１−Ａに具備している閂７２−Ａを左方向にスライドさせ、閂７２−Ａを突出させる。閂７２−Ａがセキュリティボックスの本体６１の内部に具設している左右動可能な保護部材７３−Ａをスペースエリア７４−Ａの位置から左方向へ押進し、ストライクエリア７５−Ａの位置へ押入する。
【０１０３】
図２４（ロ）のストライクエリア７５−Ａに押入された保護部材７３−Ａが、図２０の閂８０−Ａの上下動を係止させる。
【０１０４】
図２５（イ）のセキュリティボックスの本体６１に具設した閂８０−Ａは、直上に伸びた先端片８１−Ａを二枚具備する。
【０１０５】
図２０の保護部材７３−Ａにより、係止状態の閂８０−Ａが具備する直上に伸びた先端片８１−Ａの二片それぞれが、セキュリティボックスの蓋６２の側面内側７６及びセキュリティボックスの蓋６２の内部に具設された内壁７７にそれぞれ対向する。
【０１０６】
また、もう一方の、図２０の錠前７１−Bに具備している閂７２−Bと錠前７１−Ｃに具備している閂７２−Ｃにより共通の保護部材７３−Bが係止され、保護部材７３−Bにより、現在施錠状態の閂８０−Bが具備する直上に伸びた先端片８１−Bの二片それぞれが、セキュリティボックスの蓋６２の側面内側７６及びセキュリティボックスの蓋６２の内部に具設された内壁７７にそれぞれ対向しあい、先端片８１−Ａ及び先端片８１−Bにより係止され、セキュリティボックスは左右動できず錠止状態と成る。
【０１０７】
図２０のセキュリティボックスの蓋６２の内部に具設された内壁７７とは、セキュリティボックスの蓋６２上部から蓋の内部に、直下方向に延設された内壁７７であり、閂８０−Ａの直上に伸びた先端片８１−Ａの一枚と内壁７７が互いに対向しあい左右動を係止させる。
【０１０８】
内壁７７は強化目的で増設された補強片であり、セキュリティボックスの蓋６２の内部に必要に応じて枚数を増設できる。また、閂８０−Ａに具備する先端片８１−Ａも内壁７７に対向する枚数分増設可能である。
【０１０９】
セキュリティボックスの解錠方法として、セキュリティボックスの本体６１の錠前装着部６３−Ａに装着した図２５（イ）の錠前７１−Ａを解錠し、錠前７１−Ａに内設している閂７２−Ａを右方向にスライドさせ錠前７１−Ａの内部に閂７２−Ａを収納させる手段により、図２５（ロ）のセキュリティボックスの本体６１に具備する弾性体（図省略）が係合した保護部材７３−Ａをストライクエリア７５−Ａの位置から押進し、閂７２−Ａのあったスペースエリア７４−Ａの位置に保護部材７３−Ａを右方向へ押入する。図２５（ロ）のストライクエリア７５−Ａのスペースが空き、閂８０−Ａは直下方向へ移動可能と成る。図２５（ロ）のスペースエリア７５−Ａへ直下方向に移動した閂８０−Ａは、閂８０−Ａに具備する先端片８１−Ａをセキュリティボックスの本体開口部の縁端６４と同じ高さまで直下方向に移動させる。
【０１１０】
図２２の左右動可能と成った、セキュリティボックスの蓋６２に具備する等間隔で配設した閂６６を、セキュリティボックスの本体６１に具備する等間隔で配設した閂６５の間隔部６８の位置に、上記例では右方向にスライドさせる。
【０１１１】
上記注釈として、図２２のセキュリティボックスの蓋６２がスライドする遊動幅の長さは、プレート７０の間隔部６８の遊動幅と先端片８１−Ａ又は先端片８１−Bの間に係合した内壁７７の厚み幅分７９を差し引いた遊動幅７８と同じである。
【０１１２】
図２３のセキュリティボックスの蓋６２に具備する閂６６を右方向へスライドさせ、図２２のセキュリティボックス本体６１に具備する閂６５の間隔部６８の位置に移動し、対向していた複数の閂６５と閂６６は互に対向しなく成り、セキュリティボックスの蓋６２とセキュリティボックスの本体６１は解錠状態と成り嵌脱可能と成る。
【０１１３】
上記注釈として、図２０のプレート７０と閂６５と閂６６はセキュリティボックスの裏面に同じく配設されている。（図省略）  
【０１１４】
実施例１〜３各共通項として、セキュリティボックスの本体に具備する錠前装着部に簡単に錠前を装着できる手段の一例として、専用付属部材である錠前収納ケースを使用した錠前交換方法がある。錠前収納ケースを使用した錠前交換方法の一例として、単数の錠前又は一度に複数の錠前を装着した錠前収納ケースごと、セキュリティボックスに具備する錠前装着部に容易に着脱できる。その際、錠前収納ケース開口端に、装着した錠前を留める為の留め具或いは係止部材又は蓋９０を設置してもよい。
【０１１５】
錠前収納ケース８７は、図２６（イ）の凸部８６と（ロ）の係合部材８９と（ハ）の凸部の蓋９０から成る。
【０１１６】
また、錠前収納ケース８７に装着する錠前８４は、図２７（イ）の錠前８４の局所に錠前収納ケース８７と係合する凹部８５と図２７（ロ）の凹部８５と錠前欠切部８８を具備する。
【０１１７】
使用方法として、図２７（イ）と（ロ）の錠前８４の具備する凹部８５と図２７（ロ）の錠前欠切部８８を、図２６（イ）の錠前収納ケース８７の具備する凸部８６と図２６（ロ）の係合部材８９と図２６（ハ）の凸部の蓋９０に係合するように錠前８４を装着した状態で、錠前収納ケース８７をセキュリティボックスの錠前装着部に着脱する。
【０１１８】
錠前収納ケース８７は、図２７（イ）と（ロ）の錠前８４の局所に具設した凹部８５に図２６（イ）の錠前収納ケース８７の凸部８６と凸部の蓋９０を係合させ、かつ図２６（ロ）の錠前収納ケース８７の係合部材８９と図２７（ロ）の錠前欠切部８８を係合させることにより、図２８（イ）と（ロ）の錠前８４の表面積（体積或いは容積）の違いによる、錠前収納ケース８７の錠前収納部及びセキュリティボックスの錠前装着部に装着した時の緩みの影響を受けない。
【０１１９】
上記注釈として、錠前収納ケース８７は、図２７（ハ）の形状の等分化された錠前８２−Ａと錠前８２−Bの錠前を、図２８（ハ）のように複数装着できる。また、形状の等分化された錠前を単数のみ装着の場合は、錠前と同じ形状の空洞部材を装着して、錠前収納ケースの空いたスペースをなくすことができる。
【０１２０】
さらに、錠前装着部に装着した複数の錠前を、セキュリティボックスに簡単に着脱できる手段の一例として、錠前装着部に具設した錠前係止部材を使用した方法がある。
【０１２１】
図２９（イ）と（ロ）の錠前装着部９４に装着した複数の錠前９１−Ａと錠前９１−Bを、錠前装着部９４の中央に具備した錠前係止部材収納部９５に、錠前係止部材９６を係合して係止する。図２９（イ）の錠前装着部９４に装着した錠前９１−Ａが具備する閂９２−Ａと錠前９１−Bが具備する閂９２−B又は錠前９１−Ａが具備するダミー錠９３−Ａと錠前９１−Bが具備するダミー錠９３−Bが使用された突出状態でも、錠前係止部材収納部９５に係合した錠前係止部材９６を取り外し、錠前装着部９４の中央に位置する錠前係止部材収納部９５の空いたスペースに双方の錠前９１−Ａと錠前９１−Bを、後方にスライドさせて取出すことができる。
【０１２２】
さらに別例として、図２９（イ）と（ロ）の複数の錠前９１−Ａと錠前９１−Bを装着した、錠前装着部９４を具備する錠前着脱係合部材８３を、図３０（イ）と（ロ）のセキュリティボックスの本体６１の内側に、押入して係合する手段がある。セキュリティボックスの本体６１内側に、錠前着脱係合部材８３を係合させ、錠前着脱係合部材８３はロックされ、（図省略）セキュリティボックスの本体６１に、容易に複数の錠前を着脱できる。
【０１２３】
注釈として、係合しロックされたセキュリティボックスの本体６１と錠前着脱係合部材８３は,セキュリティボックスのロック解除しない限り、取り外しができないものとする。また、錠前着脱係合部材８３をセキュリティボックスの本体６１ではなく、セキュリティボックスの蓋６２に係合してもよい。さらに、錠前着脱係合部材８３は、筒状の形状の他、蓋の形状もしくはプレート形状などがあり、上記記載の形状とは限らない。
【０１２４】
前記記載の実施例１〜３のセキュリティボックスの構造全体の注釈として、本体と蓋を蝶番で係合するタイプ、本体と蓋を嵌めて係合するタイプ、本体と蓋をスライドさせて使用するタイプ以外にも、本体と蓋を回転（ねじ込み）させて使用するタイプ又は本体と蓋を同寸にして蝶着し、例えば本を両開きするような使用方法やセキュリティボックス本体に小部屋を設けて、さらにその小部屋の各部分に施錠又は解錠の操作部を設置した二重構造のセキュリティタイプなど、実施例１〜３の他にもさまざまな構造や方法を応用できる。
【０１２５】
錠前をセキュリティボックスの装着部に装着の際は、錠前を止める留め具又は装着部の蓋又は係止作用の部材により、しっかりと錠前を錠前装着部に固定するものとする。（図省略）
【０１２６】
また、上記記載の実施例３及び変形例は、本発明を実施する為の最良の形態一例である。
【０１２７】
本発明を実施する為の最良の形態の変形例として、複数の錠前を装着できる錠前装置について説明する。
【０１２８】
図３１は複数の錠前を装着できる錠前装置の、正面から見た断面図である。
【０１２９】
複数の錠前を装着できる錠前装置の使用方法として、図３１の錠前装置の本体１００と錠前装置の蓋９７とから成り、錠前装置の蓋９７は、一本ずつ架設した状態で下方に向かって延設されている。
【０１３０】
また、図３２の錠前装置の蓋９７は、「コの字」型の架設形状で延設された下部縁端部９８の局所に、欠切係合部９９を錠前装置の前後に向かって等しく配設する。
【０１３１】
図３１の錠前装置の本体１００は、図３３の本体開口部１０６に欠切孔１０７を具備する。また、図３１の錠前装置の本体１００に具設した共通の閂１１０の複数の局所に、欠切係合部１０９を具備し、図３２の錠前装置の蓋９７に具備する下部縁端部９８の欠切係合部９９と係合する。
【０１３２】
図３３の錠前装置の本体開口部１０６に具設されている欠切孔１０７に、図３４の錠前装置の蓋９７に具備されている「コの字」型の架設形状で延設された下部縁端部９８を嵌合する。
【０１３３】
図３４の錠前装置の本体１００に具設された共通の閂１１０を左側にスライドさせ、図３２の錠前装置の蓋９７に具設する複数の欠切係合部９９を、共通の閂１１０の局所に具設された複数の欠切係合部１０９が、外側から包み込むように挟持する。
【０１３４】
図３２の錠前装置の本体１００に具設した、共通の閂１１０に具備する複数の欠切係合部１０９と錠前装置の蓋９７に具備する複数の欠切係合部９９の互いに係合し対向した状態が、図３１の錠前装置の本体１００と錠前装置の蓋９７の中心線上で嵌合した状態である。図３２の錠前装置の本体１００に具設した共通の閂１１０に具備する複数の欠切係合部１０９と錠前装置の蓋９７に具備する下部縁端部９８の局所に具設された複数の欠切係合部９９は互いに挟持しあい、図３１の共通の閂１１０の両外側に具設した複数の錠前１０１−Ａと１０１−Ｂの錠止により、共通の閂１１０の左右動が係止され錠止状態と成る構造である。
【０１３５】
錠前装置の施錠方法として、図３１の共通の閂１１０を錠前装置の本体１００の中心で係止させ、図３５の錠前装置の本体の錠前装着部１０３−Ａに装着した錠前１０１−Ａを施錠する手段により、錠前１０１−Ａに具備している閂１０２−Ａを左方向にスライドさせ、閂１０２−Ａを突出させる。図３１の現在施錠状態の錠前１０１−Bに具備する閂１０２−Bと錠前１０１−Ａに具備する閂１０２−Ａが、左右動可能な共通の閂１１０を、スライド摘子１０８を中心に中央の位置で係止させる。
【０１３６】
錠前装置の本体に具設した共通の閂１１０は左右動できず錠止状態と成り、図３２の錠前装置の本体１００の共通の閂１１０に具備する欠切係合部１０９と錠前装置の蓋９７に具備する下部縁端部９８の局所に具備する欠切係合部９９が、互いに係合しかつ挟持しあい上下動を係止させる。
【０１３７】
錠前装置の解錠方法として、図３５の錠前装置の本体１００の錠前装着部１０３−Ａに装着した錠前１０１−Ａを解錠し、錠前１０１−Ａに内設している閂１０２−Ａを右方向にスライドさせ、錠前１０１−Ａの内部に閂１０２−Ａを収納させる手段により、錠前装置の本体１００に具備する弾性体（図省略）が、係合した閂１０２−Ａをストライクエリア１０５−Ａの位置から押進し、錠前１０１−Ａの内部に閂１０２−Ａを右方向へ押入する。ストライクエリア１０５−Ａのスペースが空き、共通な閂１１０は右方向へ移動可能と成る。
【０１３８】
図３１の左右動可能と成った錠前装置の本体１００に具設された共通の閂１１０を、スライド摘子１０８により、図３４の錠前装置の本体１００に具備する空間部エリア１０４及びストライクエリア１０５−Ａの位置に右方向へスライドさせ、図３２の錠前装置の本体１００に具設した共通の閂１１０に具備する欠切係合部１０９を移動し、対向していた錠前装置の蓋９７に具備する欠切係合部９９と共通の閂１１０に具備する欠切係合部１０９は互に対向しなく成り、図３４の錠前装置の本体１００と錠前装置の蓋９７は解錠状態と成り嵌脱可能と成る。
【０１３９】
上記注釈として、図３１の上記錠前装置の本体１００に具設する、共通の閂１１０に具備する欠切係合部１０９の数と錠前装置の蓋９７が具備する欠切係合部９９の数は、同数で配設され、かつ強化目的で必要に応じて配設数を増設できる。（図省略）また、錠前１０１−Ａは、錠前装置の一箇所の錠前装着部１０３−Ａに複数装着可能である。
【０１４０】
さらに、図３６は錠前装置の本体１００の錠前装着部１０３−Ａに錠前１０１−Ａと錠前装着部１０３−Bに錠前１０１−Bをそれぞれ縦方向に装着した変形例である。
【０１４１】
上記実施例の変形例は、同一の開口部に具備する共通の閂を、複数それぞれの錠前による、錠前機構に配設された保護部材を介在させない錠前操作による、施錠操作及び解錠操作手段の開示の一例である。
【０１４２】
なお、上記記載の変形例は一例であって、全ての方法とは限らない。
【０１４３】
また、錠前装置に装着した複数の錠前は、錠前装置が施錠時は固定され、脱着できないものとする。
【０１４４】
上記記載の錠前装置を使用して、チェーン、ワイヤーなどの拘束部材及び防犯対象の物体又は部材を、本発明の錠前装置で直接係合又は錠止できる。
【０１４５】
次に、前記最良の形態実施例２の錠前機構に具設する閂ホルダーの変形例を説明する。保護部材から成る閂ホルダーは、前記記載の錠前機構に配設され、錠前装着部に装着した単数もしくは複数の錠前が具備する閂を、包みこむ又は遮蔽又は遮断するように係合して移動することにより、外力による、錠前の具備する閂に対する直接攻撃を回避し、錠前の具備する閂を保護する効果も有る。
【０１４６】
保護部材から成る閂ホルダーの一例として、図３７（イ）の「Ｌの字」型閂ホルダー１１１又は図３７（ロ）の「コの字」型閂ホルダー１１２又は図３７（ハ）の一部の面が欠切された凹部１２０を具備するキャップ形状の閂ホルダー１１３又はキューブ型閂ホルダーなどがある。
【０１４７】
さらに別例として、セキュリティボックスの閂ホルダーは、図３８（イ）のセキュリティボックスに具備する錠前装着部１１４の外側に具設した閂収納凹部１１５に係合するように、セキュリティボックスに具備する案内溝に沿って一部が収納される。（図省略）
【０１４８】
図３８（イ）及び（ロ）のセキュリティボックスの閂ホルダーは、ごく細い板状の「コの字」型の閂ホルダー１１６で、錠前１１７に具備したごく細いピン状の閂１１８で操作できる。図３８（ハ）の保護部材を配設させるスペースエリア１１９の一箇所分の面積が必要なくなり、上記記載の、閂ホルダーの機能と特徴を活かしながら、さらに、錠前と錠前に具備する閂と保護部材の軽量化が可能と成る。
【０１４９】
注釈として、保護部材から成る閂ホルダーの構造及び機能を具備する部材の形状は、上記記載の、保護部材から成る閂ホルダーの一例とは限らない。
【０１５０】
また、上記記載の変形例及び別例は、本発明を実施する為の最良の形態一例である。
【実施例】
【０１５１】
本発明の、セキュリティボックスの構成する各パーツの係合部の形状に互換性を持たせた結果、工具を使用せず簡単に本発明の錠前を交換でき、かつ鍵や錠前の種類や機能、セキュリティボックスの形状又はその両方の組み合わせを自由に選択できるので、オリジナルのセキュリティボックスもファッション感覚で自由にアレンジできる。
【０１５２】
さまざまな貴重品をまとめてセキュリティボックスに保管し、オプションの携帯チェーンなどでセキュリティボックス本体を固定して窃盗されないようにするか、オプションの手提げやショルダーベルトを装着してバックとしてセキュリティボックス本体を携帯すれば、貴重品全てを常時携帯でき、ホテルのフロントや室内金庫に預ける時でもセキュリティボックスごと管理でき、本発明の錠前及び錠前機構及び保護部材を搭載したセキュリティボックスは、防犯効果が高く解錠の心配がないので安心して預けられる。また、封印確認機能を搭載することにより、第三者による解錠行為があったか痕跡が確認できる。
【０１５３】
セキュリティボックス本体を透明化することにより、セキュリティボックスを開けなくても中身のチェックができるので、規格サイズの決まった形状のスポーツ用具、楽器等、他人の所有物との取り違えがなくなる。また、決まった形状の場合、セキュリティボックスも量産化が可能なので製造コストも下げることができる。
【０１５４】
社内間、公共施設間等でセキュリティボックス使用の場合、外部の第三者に開けられる心配がないので、セキュリティ効果が高く、収納する書類等の輸送は使用済み書類袋などを再利用してセキュリティボックスに収納すれば、ごみの軽減化につながる。また、セキュリティボックス単位で、担当部署や担当者個人に直接搬送できるので、セキュリティ向上と可視化効果により、誤送や取り違えの問題も防止できる。
【０１５５】
セキュリティボックス本体ごと、ひと回り大きいセキュリティボックスに入れる事により、より防犯性を高めたり、重ねたセキュリティボックス間の空間に衝撃吸収材を挟み込む事により、精密機械、高価な楽器や美術品等の、収納品の衝撃に対する保護にも役立つ。
【０１５６】
錠前収納ケースと前記錠前着脱係合部材と錠前とセキュリティボックスに係合部及び互換性を共有すれば、先に複数の錠前を錠前収納ケース及び前記錠前着脱係合部材に装着してセキュリティボックスに着脱できるので、簡単に一度に複数の錠前を交換できる。
【０１５７】
錠前機構に配設した保護部材を介在させる手段により、例えば、錠前が具備する閂の施錠及び解錠の操作を横方向にスライドさせる手段の場合、保護部材を介在させることで、外力により閂作用部材もしくは保護部材を無理に操作しても、外部から直接受ける破壊力のベクトル方向を変更させ、垂直に交わる方向もしくは平行（パラレル）な方向に変えるので、錠前が具備する閂の施錠及び解錠の操作手段を、保護部材を介して、玉突き状態の方向である同じ方向に押し込む（又は引き抜く）ことはできず、錠前が具備する閂に対する破壊力を、軽減もしくは遮断させる手段を具備する。
【０１５８】
レコード、レントゲン写真、額付絵画など丸められない収納物は、薄型の表面積の広いセキュリティボックスで対応でき、釣竿やゴルフクラブのような長い収納物は、細長い筒状のセキュリティボックスで対応できる。複数の錠前をセットして、錠前を交換できるひとつのユニット型錠前（装置）として、チェーンなどを拘束する錠前（装置）としても使用できる。また、上記記載のユニット型錠前（装置）に、複数の閂を配設した錠前機構を搭載することもできる。
【０１５９】
鍵と錠前とセキュリティボックスは共に構成する部材が違った部材でも、構成部材を加工した凹凸形状や模様の形状、部材の色、プリント加工も含むデザイン加工を共通性にして、ファッション的なコーディネイトもできる。また、セキュリティボックスを形成するフォルムは、丸みを帯びたデザイン、多角形のデザイン、多面構成のデザイン或いは動植物や天体などの自然界に実在する物体等を模倣した、多種多様なフォルムを応用できる。上記記載のセキュリティボックスの形状であれば、ポシェットのようにバックに入れて容易に持ち運べる。さらに、セキュリティボックスは、光学液晶及び電性液晶の作用又は効果を使用した、錠前の施錠及び解錠の操作部及びセキュリティボックスの内部を、瞬時に隠蔽できる手段も兼ね備えることができる。また、錠前又はセキュリティボックスに具設する施錠及び解錠の操作部を開閉する開閉部材を設置して、強制的に隠蔽する手段も備えることができる。
【０１６０】
従来の錠前を装着した金庫の使用方法において、ダブルロックが面倒な為、たとえば、ダイヤル錠とシリンダー錠のコンビの場合、通常使用時にダイヤル錠を解錠状態にしたまま、シリンダー錠のみで施錠又は解錠の操作をしている場合もあり、ダブルロック機能を使用せず、逆に防犯効果が下がってしまっていたが、本発明の錠前を装着したセキュリティボックスは、一箇所の錠前装着部に装着する錠前のダイヤル錠の桁数を増やした錠前やハイブリッド錠等、最新式機能を搭載したモデルの錠前を任意で自由に選択交換でき、かつ同じ錠前装着部に、縮小規格形状された本発明の錠前を、直接又は錠前収納ケースに装着して重ねて装着使用できるので、一箇所の錠前装着部に装着した本発明の錠前で、セキュリティレベルを容易に上げることができる。
【０１６１】
旅先などでセキュリティボックスの一部のパーツが破損した場合、販売ネットワークでカバーすれば、現地にて交換パーツを購入し簡単に交換して、セキュリティボックスの継続使用が可能になる。
【０１６２】
スペアーキーではなく、交換用の別の錠前を携帯すれば、直ぐに交換可能となり、たとえば渡米の際、旅行用スーツケースの錠前で専用施錠機能「TSA」のついた錠前も任意選択して装着でき、現地に到着した際に「TSA」機能の錠前を任意の錠前に交換すれば、使いやすさとセキュリティアップになる。
【０１６３】
鍵の紛失時、合鍵を持たず解錠及び施錠の操作が困難な場合は、通常常設のダイヤル式ロックを解錠操作する事により継続使用が可能であり、かつ使用不能になった錠前を防犯の為に強制錠止させる手段により使用不能にすることができる。セキュリティボックスの一箇所の錠前装着部に、薄型タイプの錠前やコンパクトタイプの錠前など、同じスペースで、複数の錠前を重ねて装着でき、かつ複数の錠前それぞれの施錠及び解錠の操作を同時使用もできる。
【０１６４】
実施例のまとめとして、本発明の効果を、実施例の一例として海外旅行での使用例を挙げて説明する。あくまで下記のストーリーは、実施例の一例を分かりやすく説明した解説文である。
【０１６５】
今回設定したアメリカでの演奏旅行には、三つのセキュリティボックスを使用し、一つ目は、機内持ち込み可能な小型のセキュリティボックスで、一方には生体反応式錠前を装着し他方にはダイヤル錠を装着し、オプションでウエストポーチ用ベルトと盗難防止チェーンを装着してある。二つ目は、バイオリンを収納したバイオリンの形状を成すセキュリティボックスである。三つ目は、上記バイオリンの形状を成すセキュリティボックスごと収納できる、同じ形状の一回り大きいバイオリンの形状を成すセキュリティボックスである。バイオリンを直に収納したバイオリンの形状を成すセキュリティボックスと、同じ形状の一回り大きい保護強化型セキュリティボックスとの間には、衝撃吸収部材を挟みこんで破損対策を施してある。共に互換性が有り、同じ形状で大きさの違うセキュリティボックスは、二重に重ねても使用できる。
【０１６６】
また、セキュリティボックスに装着する異なる任意の錠前は、上記二つのバイオリンの形状を成すセキュリティボックスそれぞれに、下記の組み合わせで装着することにした。１、バイオリンを直に収納したセキュリティボックスには、一方には縮小等分化した二つのダイアル式錠前を重ねて錠前収納ケースに装着して、一箇所の錠前装着部に装着した。錠前収納ケースを使用すると、容易に複数の錠前を交換できる。他方には渡米旅行に欠かせない「ＴＳＡロック」錠前を、直に接錠前装着部に装着した。２、一回り大きい保護強化型バイオリンの形状を成すセキュリティボックスには、錠前着脱係合部材を使用し、錠前着脱係合部材の錠前装着部に、一方にはハイブリッド式錠前を他方には「ＴＳＡロック」錠前を装着して、セキュリティボックスの錠前装着部の内側に、錠前着脱係合部材を装着した。上記の組み合わせで装着することにより、「ＴＳＡロック」錠前のマスターキー管理責任者である第三者が検査の為解錠しても、「ＴＳＡロック」を解錠することにより、施錠した錠前を破壊されることを回避できる。
【０１６７】
上記３点のセキュリティボックスの共通項は、下記の通りである。１、透明な可視化効果のある強化合成樹脂から成り、軽量でとても丈夫である。２、セキュリティボックスに装着する異なる複数の錠前は任意で選択でき、形や大きさが違うセキュリティボックスと共に互換性があり、組み合わせが自由である。３、セキュリティボックスの各錠前装着部には、一箇所の錠前装着部に、単数又は複数の錠前を装着できる。また、錠前収納ケースや錠前着脱係合部材に装着して、複数の錠前を一度に簡単に装着できる。さらに、一箇所の錠前装着部に装着した各錠前の同時使用もできる。４、オプションで、付属品をセキュリティボックスに装着しても使用できる。５、セキュリティボックスに装着した錠前手段による、「強制施錠手段」と「施錠操作及び解錠操作を阻止する手段」を兼ね備えて、セキュリティボックスの継続使用を可能とする。
【０１６８】
空港では手荷物検査の際、機内持ち込み可能な小型セキュリティボックスに、パソコン、記録媒体、現金、クレジットカード、宝飾品、携帯電話を収納していたが可視化作用により、開けずに視認検査ができ赤外線透視検査のみで済んだ。また、赤外線検査後の検査用トレーから貴重品等をそれぞれ収集せずに、貴重品を収納してあるセキュリティボックスをさっと持ち出し、短時間で直ぐにゲートを通過することができた。飛行機に搭乗し、座席に小型のセキュリティボックスに装着してあるオプションの携帯盗難防止チェーンを使用してロックをした。これで、搭乗中の短時間離席しての化粧室使用時や夜間飛行時の就眠中でも安心できる。また、心配であればオプションのウエストポーチ用ベルトを使用して、化粧室使用時に携帯したり身に着けて就眠もできる。搭乗した後に、追加でパスポートや帰りの旅券等を収納しておけば、セキュリティボックスひとつでたくさんの貴重品を携帯でき安心して保管できる。
【０１６９】
現地に到着して荷物受取の際、同行したバイオリストも同じセキュリティボックスを使用していたが、可視化効果により、バイオリンの形状を成す自分のセキュリティボックスを、間違えなくすぐに受け取れた。また、必要のなくなった「ＴＳＡロック」錠前を、その場で別に持参した使いやすいマグネット式錠前にそれぞれ交換した。錠前の交換は、解錠したセキュリティボックスから交換対象の錠前を取出し、別に持参したマグネット式錠前を工具を使用せず簡単に着脱できた。用途や目的に合わせて使用できるように、外出の際はいつもコレクションしている任意の錠前をいくつか別に携帯してる。また、マグネット式錠前を操作する鍵は、アクセサリーのリングの中に埋め込んであり、リングを常時身に着けることにより、施錠又は解錠時の利便性や紛失又は盗難防止対策に成る。
【０１７０】
無事演奏会も終了したが、施錠しようとした友人の錠前の鍵が見当たらなく施錠できない。盗難にあったのか落としたのか分からないので、ひとまず使用不能になったシリンダー式錠前を取出し、シリンダー式錠前に内蔵してあったダミー錠で施錠することにした。さらに、シリンダー錠の鍵穴のある主面を、９０度回転させて錠前の側面にして、セキュリティボックスの錠前装着部に再装着した。万が一、紛失した鍵を第三者が拾得又は故意に所持していたとしても、シリンダー錠の施錠と解錠の操作部のない他面では、解錠行為そのものを完全に阻止できる。上記手段により、異なる他方の錠前による施錠操作又は解錠操作の手段でセキュリティボックスの継続使用が可能に成る。
【０１７１】
空港で、封印らしき書類が張ってある美術品と同じ形状のセキュリティボックスを可視化効果によってセキュリティボックスを開けずに、視認してスムーズに出国手続きが行われていた。空港免税店では、いろんな種類のセキュリティボックスがあり、丸みを帯びた半透明で淡いピンク色のハート型セキュリティボックスや、少し怖そうなライオンの顔を模倣したセキュリティボックス、現地で有名な遊園地の愛らしいキャラクターを模ったセキュリティボックス、サッカーボウル型の多面体セキュリティボックス、可視化効果は無いが金属製でえんぴつのような細長い筒状の多角形のセキュリティボックスや花柄や星や月の模様をプリントした透明なセキュリティボックスなどがあった。他にも、オプションで使える、セキュリティボックスの中に入れて中味が見えないようにするキャンディ型の巾着袋や、錠前の交換用に最新型セキュリティ機能搭載のカード式錠前をなどがあった。高級品の中には、装着した錠前とセキュリティボックスに同じブランドマークの表面加工が施され、よく見るとブランドロゴが凹凸な形状で角度によって色合いが微妙に変化するデザインもあった。
さらに、液晶作用を使用した透明なセキュリティボックスには、ボタン一つで一瞬にして、曇ったように内部を見えなくする隠蔽機能が付いていた。その他にも、さまざまな種類や大きさのセキュリティボックスがあった。以上は全て、海外旅行での使用例を挙げて説明した実施例の一例である。上記記載の一例も踏まえて、本発明の錠前による継続使用可能なセキュリティボックスを提供する。
【産業上の利用可能性】
【０１７２】
強化合成樹脂から成る、セキュリティボックスの強度において軍事レベルの使用強度をクリアすれば、海外来航先でのテロや災害時において、ヘルメットや盾として身を守ることも可能になる。
【０１７３】
また、強化合成樹脂から成り、耐火、耐熱、耐水に強く、スケルトン効果により太陽電池パネル発電機も内蔵でき、災害時に貴重品以外にも、非常用食料、飲料、懐中電灯、充電器、電気コンロ、小型蓄電池などを収納部に搭載し携帯すれば、災害救助対策にも役立つ。ナノテクノロジー等の最新の素材を応用して、より強度により軽くできる。
【０１７４】
上記の問題を解決する手段として本発明は、本体又は開閉自在の扉もしくはその両方に具備する錠前装着部に、前記本体と前記扉が解錠状態で開口した場合にのみ、前記錠前装着部が具備する係止作用の部材を解除して、閂とダミー錠とを収納した解錠状態の錠前もしくは施錠状態で前記閂を突出させた状態又は前記ダミー錠を起立させた状態の前記錠前でも着脱自在に装着でき、前記錠前の施解錠の操作部を操作して前記本体と前記扉が互に接する同一の開口部に具設した共通の閂作用部材を施錠状態又は解錠状態に制御できる錠前であって、前記錠前は、いずれか一方の錠前が施錠状態で解錠操作が不能の場合に、前記共通の閂作用部材を、他方の錠前の施解錠の操作部を操作して応動させた前記閂で解錠状態又は施錠状態にする手段と、いずれか一方の錠前が解錠状態で施錠操作が不能の場合に、前記錠前が具備する前記ダミー錠を起立させて前記共通の閂作用部材を強制錠止する手段と他方の前記錠前が具備する前記閂で解錠状態又は施錠状態にする手段で、前記共通の閂作用部材を施錠状態又は解錠状態に制御して、前記同一の開口部を開閉させる手段を備えることを特徴とする錠前を提供する。
【０１７５】
さらに、前記錠前は、ダミー錠を具備した錠前であって、前記ダミー錠を具備した前記錠前は、前記ダミー錠をスライドして突出させる手段又は蝶着した前記ダミー錠を回動して突出させる手段或いは前記錠前に具備した前記ダミー錠又は前記錠前に具備するキャップの一方向に具設させた前記ダミー錠を前記錠前から取り外し、前記ダミー錠を起立させた状態で前記錠前に再装着させる手段により、前記ダミー錠を具備した前記錠前を前記本体及び前記開閉自在の扉に装着して、前記本体及び前記開閉自在の扉を強制錠止させる手段を具備することを特徴とする前記錠前。
【０１７６】
前記錠前は、錠前装着部に装着した錠前の操作部を隠蔽できる錠前であって、前記錠前装着部に装着した、いずれかの錠前が施解錠の操作不能の場合に、錠前に具備する施解錠の操作部がある主面を前記操作部がない他面に向けて装着する隠蔽手段もしくは錠前が具備する隠蔽部材を操作して前記操作部を前記隠蔽部材で隠蔽させて施解錠の前記操作部の操作を阻止する手段を備えたことを特徴とする錠前を提供する。
【０１７７】
錠前装着部は、錠前係止部材を具備し、本体と開閉自在の扉が解錠状態で開口した場合にのみ、前記錠前装着部が具備した係止作用の部材又は留め具を解除して、前記錠前係止部材と前記錠前とを着脱できる錠前装着部であって、前記錠前係止部材を取り外したスペースに、錠前が具備する施錠状態の閂を突出させた状態又はダミー錠を起立させた状態でも前記錠前を前記スペースに移動させて着脱させる手段と、錠前に具備する施解錠の操作部がある主面を前記操作部ない他面に向けて装着させる施解錠の操作部の操作を阻止する手段と一つの前記錠前装着部に形状の縮小等分化した錠前を重装し各前記錠前の施解錠の操作を同時使用する手段とを備えたことを特徴とする錠前装着部を提供する。
【０１７８】
さらに、前記錠前は、施錠状態又は解錠状態いずれの状況でも、前記本体と前記開閉自在の扉が互に接する前記同一の開口部を、前記錠前装着部に装着した複数いずれかの前記錠前で開口又は閉口する手段を具備する錠前であって、前記本体と前記開閉自在の扉が互に接する前記同一の開口部を、複数いずれかの前記錠前による施錠操作及び解錠操作の手段又は複数いずれかの前記錠前による錠前機構を介在させた施錠操作及び解錠操作の手段で、一方の前記錠前が施錠したままの解錠不能の状態でも、他方の前記錠前による解錠操作及び施錠操作の手段と一方の前記錠前が解錠したままの施錠不能の状態でも、施錠不能の状態の前記錠前に具備する前記ダミー錠を前記本体又は前記開閉自在の扉が具備する前記錠前装着部に装着する強制錠止手段と他方の前記錠前による施錠操作及び解錠操作の手段により、前記本体と前記開閉自在の扉が互に接する前記同一開口部を、複数いずれかの前記錠前で開口又は閉口する手段を具備することを特徴とする前記錠前。
【０１７９】
また、前記錠前装着部は、前記本体又は前記開閉自在の扉もしくはその両方に具設された錠前装着部であって、前記錠前に具設された施錠及び解錠の操作部のある前記主面又は施錠操作及び解錠操作の操作部のない前記他面（多角形の場合、装着可能な各面）を向けて、前記錠前を前記錠前装着部に容易に着脱自在に装着でき、かつ一つの前記錠前装着部に形状の等分化された前記錠前を重装でき、かつ前記錠前装着部に重装した各前記錠前の施錠操作又は解錠操作の同時使用の手段を兼備したことを特徴とする前記錠前装着部。
【０１８０】
さらに、前記錠前装着部が具備する錠前係止部材収納部に具設した錠前係止部材は、前記錠前を前記錠前装着部に容易に着脱できる錠前係止部材であって、前記錠前係止部材は、前記錠前装着部に具備した前記錠前係止部材収納部に着脱して前記錠前が具備する前記閂及び前記ダミー錠を突出させた状態でも、前記錠前係止部材収納部の前記錠前係止部材を取り外した空間を使用した手段で、前記錠前装着部に装着した前記錠前の着脱手段を具備することを特徴とする前記錠前係止部材。
【０１８１】
錠前機構は、保護部材と閂部材を一連に組み合わされた閂機構から成る錠前機構であって、前記錠前機構に具設された閂片を具備する閂を、本体と開閉自在の扉が具備する内壁の仕様の変更に対比させ前記閂片と前記内壁が互いに対示又は対向或いは係合して動止させる施錠手段と、前記保護部材を前記錠前機構に具設された閂作用部材と錠前が具備する閂との間に介在させて、前記錠前が具備する前記閂に対する外部から直接受ける破壊力を軽減又は回避又は遮断させる手段とを備えたことを特徴とする錠前機構を提供する。
【０１８２】
保護部材は、本体又は開閉自在の扉もしくはその両方に具備する錠前装着部に装着した錠前による施解錠の操作に応動する閂作用を具備する保護部材であって、錠前機構に具設された閂作用部材と前記錠前の具備する閂との間に前記保護部材を介在させて、前記錠前が具備する前記閂を覆う又は遮蔽する手段と一つの前記錠前装着部に形状の縮小等分化した錠前を重装し各前記錠前の施錠の操作により、各前記錠前が具備する前記閂それぞれが同時に前記保護部材を係止させ、係止した前記保護部材の閂作用により、共通の閂作用部材を施錠状態に制御し、各前記錠前の解錠操作で前記閂それぞれが同時に解錠した場合にのみ、各前記閂により係止していた前記保護部材が稼動状態と成り、前記共通の閂作用部材を解錠状態にする手段を備えたことを特徴とする保護部材を提供する。
【０１８３】
錠前収納ケースは、錠前或いは形状の縮小等分化した錠前を重層し、各前記錠前の施解錠の操作と各前記錠前の同時使用の手段とを具備する錠前収納ケースであって、前記錠前収納ケースが具備する錠前係合部に互換性のある前記錠前の具備する錠前係合部を係合させて、錠前の外形の形状又は外形の容積を変更せずに、前記錠前を装着した前記錠前収納ケースを錠前装着部に装着できる手段と前記錠前収納ケースに装着した前記錠前の施解錠の操作部を隠蔽する手段とを備えたことを特徴とする錠前収納ケースを提供する。
【０１８４】
前記錠前に具備する前記閂と前記錠前機構に具備する前記閂と前記閂作用を具備した部材は共に軽量でかつ堅固な部材から成る軽量強化部材であって、前記軽量強化部材は、筐体又は筒状又はキャップ状又はハニカム構造から成る空洞化形状又は固体形状或いはごく細い棒状の形状又はごく薄い板状の形状を具備し、かつデザイン加工を施した形状を兼備し、前記錠前及び前記錠前に具備する前記閂と前記錠前機構及び前記錠前機構に具備する前記閂と前記閂作用部材の構造を小型軽量化することを特徴とする前記軽量強化部材。
【０１８５】
また、錠前着脱係合部材は前記錠前を前記本体又は前記開閉自在の扉に着脱自在に装着できる錠前着脱係合部材であって、前記錠前着脱係合部材に具備した前記錠前装着部に前記錠前を装着して、前記本体又は前記開閉自在の扉の内部に着脱自在に係合させ、前記錠前の施錠及び解錠の操作手段を具備することを特徴とする前記錠前着脱係合部材。
【０１８６】
さらに、前記錠前は、前記本体と前記開閉自在の扉と前記錠前機構と前記錠前装着部と前記錠前収納ケースと共に互換性及び互換性を具備した係合部を具備し、前記錠前は、前記本体及び前記開閉自在の扉から成る建造物、収納部材、収納部を具備する輸送物体及び錠前作用を具備した装置又は部材の形状を選択でき、前記本体及び前記開閉自在の扉に具備する前記錠前装着部と前記錠前着脱係合部材に具備する前記錠前装着部に、前記錠前又は前記錠前収納ケースに装着した前記錠前を装着する手段を具備し、かつ前記錠前に具備した隠蔽部材による前記錠前の施錠操作又は解錠操作の操作部を隠蔽する手段を兼備したことを特徴とする前記錠前。  
【０１８７】
さらに、前記本体及び前記開閉自在の扉から成るセキュリティボックスは、前記錠前機構及び前記錠前装着部を具備し、透明または半透明な合成樹脂又は複合素材の繊維強化プラスチックから成る可視化作用を兼備したセキュリティボックスであって、前記セキュリティボックスは、凹凸加工又はプリント加工又は局所及び全体に着色加工又は特殊加工又は付着させた造型加工又は形状の造型加工を含むデザイン加工を施した形状を兼備し、かつ前記セキュリティボックスに具備する前記錠前装着部に、前記錠前と前記錠前収納ケースと前記錠前着脱係合部材に装着した前記錠前を着脱自在に装着する手段を兼備し、かつ前記セキュリティボックスに具備する（液晶作用を含む）隠蔽部材により、前記錠前に具備するダイヤルやデジタル等の表示部を含む施錠操作又は解錠操作の操作部及び前記セキュリティボックスの内部を隠蔽する手段を兼備したことを特徴とする前記セキュリティボックス。
【０１８８】
前記セキュリティボックスは、施錠状態又は解錠状態いずれの場合でも、複数いずれかの錠前で、同一の開口部を開閉して継続使用ができるセキュリティボックスであって、一方の錠前が施錠状態で解錠操作が不能でも、他方の錠前による施解錠の操作でセキュリティボックスを開閉でき一方の錠前が解錠状態で施錠操作が不能でも、解錠状態の前記錠前に具備するダミー錠を起立させた状態にし、前記錠前装着部に装着させて共通の閂作用部材を強制錠止させる手段と他方の錠前による施解錠の操作手段あるいは前記錠前装着部に装着した複数いずれかの錠前の施解錠の操作が不能の場合でも、錠前が具備する主面を他面に向けて前記錠前装着部に装着させ、錠前の施解錠の操作部の操作を阻止する手段により、前記同一の開口部を複数いずれかの錠前で開閉させる継続使用の手段を具備したセキュリティボックスを提供する。
【符号の説明】
【０１８９】
１−A：錠前
１−B：錠前
２−A：閂
２−B：閂
３−A：保護部材
３−B：保護部材
４−A：スペースエリア
４−B：スペースエリア
５−A：ストライクエリア
５−B：ストライクエリア
６：稼動動作部
７：スライド式摘子
８−A：弾性体
８−B：弾性体
９：挟持部
１０：凸設部分
１１：凸設部分
１２−A：ダミー錠
１２−B：ダミー錠
１３：蝶番
１４：施錠と解錠の操作部
１５：主面
１６：裏面
１７：壁面
１８：壁面
１９：摘子
２０：共通のロック部材
２１：セキュリティボックスの本体
２２：セキュリティボックスの蓋
２３−A：錠前装着部
２３−B：錠前装着部
２４：閂開放部エリア
２５：同一の開口部
２６：隠蔽部材を具設した錠前
２７：隠蔽部材
【０１９０】
２８：セキュリティボックスの蓋
２９：セキュリティボックスの本体
３０−A：装着部
３０−B：装着部
３１−A：錠前
３１−B：錠前
３２−A：閂
３２−B：閂
３３−A：保護部材
３３−B：保護部材
３４−A：スペースエリア
３４−B：スペースエリア
３５−A：ストライクエリア
３５−B：ストライクエリア
３６：円軸
３７：閂
３８：円盤型回動部
３９：摘子
４０：劣弧部分
４１：同一の開口部
４２：上部縁端部
４３：下部縁端部
４４：閂収納部
４５：閂
４６：歯筋部
４７：係合部材
４８：弾性体
４９：ストライク
５０：歯車部
５１：歯筋部
５２：中心軸
５３：「Ｌ字型」の先端部
５４：閂
５５：錠前装着部
５６：錠前
５７：閂
５８：錠前
５９：閂
６０：キューブ型閂ホルダー
【０１９１】
６１：セキュリティボックスの本体
６２：セキュリティボックスの蓋
６３−A：錠前装着部
６３−B：錠前装着部
６３−Ｃ：錠前装着部
６４：開口部の縁端
６５：凸部形状の複数の閂
６６：凸部形状の複数の閂
６７：内側壁
６８：間隔部
６９：直下位置
７０：プレート
７１−A：錠前
７１−B：錠前
７１−Ｃ：錠前
７２−A：閂
７２−B：閂
７２−Ｃ：閂
７３−A：保護部材
７３−B：保護部材
７４−A：スペースエリア
７４−B：スペースエリア
７５−A：ストライクエリア
７５−B：ストライクエリア
７６：側面内側
７７：内壁
７８：遊動幅
７９：厚み幅
８０−A：閂
８０−B：閂
８１−A：先端片
８１−B：先端片
８２−A：錠前
８２−B：錠前
８３：錠前着脱係合部材
８４：錠前
８５：錠前の凹部
８６：錠前収納ケースの凸部
８７：錠前収納ケース
８８：錠前欠切部
８９：係合部材
９０：錠前収納ケースの蓋
９１−A：錠前
９１−B：錠前
９２−A：閂
９２−B：閂
９３−A：ダミー錠
９３−B：ダミー錠
９４：錠前装着部
９５：錠前係止部材収納部
９６：錠前係止部材
【０１９２】
９７：錠前装置の蓋
９８：下部縁端部
９９：欠切係合部
１００：錠前装置の本体
１０１−A：錠前
１０１−B：錠前
１０２−A：閂
１０２−B：閂
１０３−A：錠前装着部
１０３−B：錠前装着部
１０４：空間部エリア
１０５−A：ストライクエリア
１０５−B：ストライクエリア
１０６：開口部
１０７：欠切孔
１０８：スライド摘子
１０９：共通のロック部材に具備する欠切係合部
１１０：共通のロック部材
１１１：「Ｌの字」型閂ホルダー
１１２：「コの字」型閂ホルダー
１１３：キャップ形状の閂ホルダー
１１４：錠前装着部
１１５：閂収納凹部
１１６：「コの字」型の閂ホルダー
１１７：錠前
１１８：ピン状の閂
１１９：スペースエリア
１２０：凹部  
【要約】      （修正有）【課題】複数の錠前を備え、鍵の紛失や故障又は窃盗などにより、いずれかの錠前の錠前の操作が不能になっても、セキュリティボックスの継続使用ができ、セキュリティボックスの形状や錠前の種類の自由な組合せが可能な、錠前及びセキュリティボックスを提供する。【解決手段】セキュリティボックスは本体２９と蓋２８から成り、蓋の内部に錠前３１−Ａ、３１−Ｂを着脱可能に設け、一方の錠前が解錠されると円盤型回動部３８が回動操作可能となる。円盤型回動部の回動操作により、閂４５が下降し、歯車部５０を介して閂５４が回動し、先端部５３がストライク４９から抜けて解錠され、本体と蓋が嵌脱状態となる。どちらか一方の錠前の操作が不能になっても、他方の錠前により、蓋を施錠又は解錠でき、セキュリティボックスの継続使用が可能となる。【選択図】図１０【図１】
0005526377.tif 000002
【図２】
0005526377.tif 000003
【図３】
0005526377.tif 000004
【図４】
0005526377.tif 000005
【図５】
0005526377.tif 000006
【図６】
0005526377.tif 000007
【図７】
0005526377.tif 000008
【図８】
0005526377.tif 000009
【図９】
0005526377.tif 000010
【図１０】
0005526377.tif 000011
【図１１】
0005526377.tif 000012
【図１２】
0005526377.tif 000013
【図１３】
0005526377.tif 000014
【図１４】
0005526377.tif 000015
【図１５】
0005526377.tif 000016
【図１６】
0005526377.tif 000017
【図１７】
0005526377.tif 000018
【図１８】
0005526377.tif 000019
【図１９】
0005526377.tif 000020
【図２０】
0005526377.tif 000021
【図２１】
0005526377.tif 000022
【図２２】
0005526377.tif 000023
【図２３】
0005526377.tif 000024
【図２４】
0005526377.tif 000025
【図２５】
0005526377.tif 000026
【図２６】
0005526377.tif 000027
【図２７】
0005526377.tif 000028
【図２８】
0005526377.tif 000029
【図２９】
0005526377.tif 000030
【図３０】
0005526377.tif 000031
【図３１】
0005526377.tif 000032
【図３２】
0005526377.tif 000033
【図３３】
0005526377.tif 000034
【図３４】
0005526377.tif 000035
【図３５】
0005526377.tif 000036
【図３６】
0005526377.tif 000037
【図３７】
0005526377.tif 000038
【図３８】
0005526377.tif 000039